(57)【特許請求の範囲】
【請求項１】
下記から形成されるコンディショニング用ポリマーであって：
ｉ）化学式（Ｉ）によって定義されるカチオン性モノマー
【化１】
0005706345.tif 000035
ここで、
Ｒ1およびＲ2は、独立して、水素またはメチルであり、
Ｒ3、Ｒ4、およびＲ5は、独立して、直鎖状または分枝状Ｃ1−Ｃ30アルキル基であり
Ｘは、ＮＨ、ＮＲ6または酸素であり、
Ｒ6はＣ1−Ｃ6アルキルであり、
ＬはＣnＨ2nであり、
ｎは１〜５の整数であり、
ならびにＡ−は、メトサルフェートアニオンなどの有機もしくは無機酸、またはクロリドもしくはブロミドなどのハロゲン化物に由来するアニオンであり；
ｉｉ）エチレン性不飽和カルボン酸およびスルホン酸含有モノマーからなる群より選択される少なくとも１種のアニオン性モノマー；
ならびに
ｉｉｉ）化学式（ＩＩ）または（ＩＩＩ）によって定義されるジアリルアミンモノマー
【化２】
0005706345.tif 000036
ここで、
Ｒ7およびＲ8は、独立して、水素またはＣ1−Ｃ4アルキルであり、
Ｒ9は、水素、分枝状または直鎖状Ｃ1−Ｃ30アルキル、Ｃ1−Ｃ30アルコキシ、
【化３】
0005706345.tif 000037
、ヒドロキシ置換Ｃ1−Ｃ10アルキル、Ｃ7−Ｃ9アルキルフェニル、カルボキシアルキル、アルコキシアルキルおよびカルボキシアミドアルキルであり、
Ｒ10は、水素、Ｃ1−Ｃ20アルキル、Ｃ5−Ｃ10シクロアルキル、または非置換もしくは置換ベンジル基であり、
Ｒ10は水素以外であるという条件で、Ｒ9は、
【化４】
0005706345.tif 000038
であり、
ＡＯは、Ｃ1−Ｃ12アルキレンオキシドまたは２種以上のＣ1−Ｃ12アルキレンオキシドの混合物であり、前記２種以上がブロック型またはランダム型で互いに結合されることが可能であり、
ｍは２〜２００の整数であり、
Ｒ11は水素またはメチルであり；
ならびに
（ｉｖ）任意に、架橋モノマー；
ここで、形成されたターポリマーは、任意に、脂肪族アミン、脂肪族アミンオキシド、または脂肪族四級物質で少なくとも部分的に中和されており、且つ
成分ｉ）のカチオン性モノマーが、形成されたコンディショニング用ポリマーの１０〜９８重量パーセントを、成分ｉｉ）のアニオン性モノマーが、形成されたコンディショニング用ポリマーの２〜２５重量パーセントを、成分ｉｉｉ）のジアリルアミンモノマーが形成されたコンディショニング用ポリマーの４０重量パーセント以下で０重量パーセントを含まない範囲を占めている、コンディショニング用ポリマー。
【請求項２】
請求項１に記載のコンディショニング用ポリマーであって、アニオン性モノマーの成分ｉｉ）が、化学式（ＶＩ）の化合物またはその無水物であって：
【化５】
0005706345.tif 000039
Ｒ12およびＲ13は、独立して、水素またはＣ1−Ｃ6アルキルであり、
Ｒ14は、水素、Ｃ1−Ｃ6アルキル、またはＣＯＯＭ基であり、
Ｍは、水素、一価または二価金属イオン、アンモニウム、または有機アンモニウムイオンであり、
ジアリル成分ｉｉｉ）のＲ9およびＲ10は水素であり
ならびに
形成されたターポリマーは、脂肪族アミンまたは脂肪族アミンオキシドで少なくとも部分的に中和されている、
コンディショニング用ポリマー。
【請求項３】
請求項１に記載のコンディショニング用ポリマーであって、成分ｉｉｉ）が、化学式（ＩＩａ）および／または（ＩＩＩａ）の化合物であり
【化６】
0005706345.tif 000040
ＡＯは、Ｃ1−Ｃ12アルキレンオキシドまたはそのＣ1−Ｃ12アルキレンオキシドの２種以上の混合物であり、前記２種以上がブロック型またはランダム型で互いに結合されることが可能であり、
ｍは２〜２００の整数であり
ならびに
Ｒ11は水素またはメチルである、
コンディショニング用ポリマー。
【請求項４】
請求項１〜３のいずれか１項に記載のコンディショニング用ポリマーであって、脂肪族アミンが
【化７】
0005706345.tif 000041
であり、ここで、Ｒ1は、Ｃ8−Ｃ30直鎖または分枝鎖脂肪族であり、
Ｒ2およびＲ3は、独立して、水素、Ｃ1−Ｃ30直鎖または分枝鎖脂肪族、ヒドロキシアルキル、アミドアルキル、カルボキシアルキル、環状、アルコキシ、ポリアルコキシ，またはヒドロキシポリアルコキシであり；
ならびに
脂肪族アミンオキシドは
【化８】
0005706345.tif 000042
であり、ここで、Ｒ1は、８〜１８個の炭素原子のアルキル、アルケニル、またはモノヒドロキシアルキル基、０〜約１０個のエチレンオキシド部分、および０〜１個のグリセリル部分を含み、そしてＲ2およびＲ3は１〜３個の炭素原子および０〜１個のヒドロキシ基を含む、
コンディショニング用ポリマー。
【請求項５】
コンディショニング用ポリマーは、化粧品的に受容可能なビヒクル中に分散または可溶化され、さらに任意に、アニオン性、両性、非イオン性、および双性イオン性界面活性剤から選択される少なくとも１種の界面活性剤を含む、請求項１〜４のいずれか１項に記載のコンディショニング用ポリマーを含む個人用洗浄またはパーソナルケア組成物。
【請求項６】
個人用洗浄組成物がシャンプーまたはボディーウォッシュであり、パーソナルケア組成物が、皮膚および毛髪を含む身体に適用される任意のパーソナルケア組成物である、請求項５に記載の個人用洗浄またはパーソナルケア組成物。
【請求項７】
個人用洗浄組成物が２イン１シャンプー、ボディーウォッシュ、洗顔料、泡風呂、ソープレスクレンザー、液体および固形石けん；シャワージェル、角質除去（ｘｆｏｌｉａｔｉｎｇ）シャワージェル；牛乳風呂；濡れタオル；風呂用発泡錠（例えば、泡風呂）；風呂／シャワージェルまたはシャワークリームであり、前記個人用洗浄組成物がさらに任意に、組成物の重量で、５％〜５０％の洗浄性アニオン性界面活性剤を含む、請求項５または６に記載の個人用洗浄組成物。
【請求項８】
パーソナルケア組成物が、ハンドローション、ボディーローション、ボディースプレー、ミストまたはジェル、ヘアコンディショニングリンス、シェービングクリーム、ジェル、フォームまたはソープ、アフターシェーブ、アフターシェーブ保湿剤、手および爪用クリームまたは脱毛クリームである、請求項５または６に記載のパーソナルケア組成物。
【請求項９】
ケラチン性物質に、請求項１〜４のいずれか１項に記載のコンディショニング用ポリマーを含む有効量の組成物を適用する工程を包含し、前記ケラチン性物質が、人または動物の皮膚、毛髪、または爪である、ケラチン性物質のコンディショニングのためのプロセス。
【請求項１０】
皮膚、毛髪、または爪へのシリコーンの沈着を増強する方法であって、
ｉ）請求項１〜４のいずれか１項に記載のコンディショニング用ポリマー
ｉｉ）少なくとも１種のシリコーン化合物
および
任意に
ｉｉｉ）皮膚、毛髪、または爪への所望の場所に対して有効量の有益な剤
を含む組成物を局所的に適用する工程
を包含する、方法。
【発明の詳細な説明】
【技術分野】
【０００１】
本願は、２００９年３月５日に出願された仮出願第６１／２０９，２９３号および２０１０年２月２日に出願された仮出願第６１／３００，６５８号の利益を主張し、これらの両方は全体が参照により本明細書に組み込まれる。
【０００２】
発明の背景
１．発明の分野
本発明は、新規な両性ターポリマー、上記ターポリマーを含むパーソナルケア組成物、およびこのようなターポリマーを使用するための方法に関する。本明細書に記載される両性ターポリマーは、少なくともエチレン性不飽和カチオン性モノマー、カルボン酸またはスルホン酸基を含むモノマー、およびジアリルアミンまたはジアリルアミン誘導体を含む。本発明のターポリマーおよびターポリマー組成物は、ケラチン含有物質の処理において有用である。ケラチン物質には、動物およびヒトの毛髪、皮膚、および爪が含まれるがこれらに限定されない。
【０００３】
毛髪は、硫黄を含有する線維性タンパク質であるケラチンから構成される。ケラチン、およびより具体的には、毛髪の等電点は、一般的には、ｐＨ３．２〜４．０の範囲にある。それゆえに、典型的なシャンプーのｐＨにおいて、毛髪は正味の負電荷を有する。結果的に、毛髪の濡れおよび乾燥適合性を改善するために、カチオン性ポリマーが、シャンプー製剤中のコンディショナーとして、または別個のコンディショニングトリートメントとして長く使用されてきた。フィルム形成を伴って負に荷電した毛髪のためのカチオン性ポリマーの実質は、濡れた毛髪にくしを入れる間にもつれをほぐすこと、および乾燥した毛髪にくしを入れる間の静電気による浮つきの減少を容易にする。カチオン性ポリマーは、一般的には、毛髪に柔軟さおよびしなやかさもまた付与する。
【０００４】
カチオン性ポリマーおよび両性ポリマーは、シャンプーおよびボディーウォッシュなどのパーソナルケア組成物の中のコンディショナーとして長い間使用されてきたが、市販のポリマーは、ケラチン性物質に対する特定の効果の組み合わせを提供する点で不十分である。例えば、文献に記載されているカチオン性および両性ポリマーに関する一定の数の苦情は、摩擦の減少および柔軟さなどのコンディショニングプロセスのための限られた数の属性、またはシリコーンのみのために沈着補助剤として作用するポリマーの能力のいずれかに集中している。これらの型のポリマーは、全体が参照により本明細書に組み込まれる、米国特許第５，５７３，７０９号、同第５，９７７，０３８号、同第６，２００，５５４号、同第６，４５１，２９８号、同第５，３０２，３２２号、同第６，３４８，１８８  Ｂ１号、欧州特許第０  ５２９  ８８３  Ｂ１号、および米国出願公開第２００６／０１２３５６４号および同第２００５／０００２８７１号に開示されている。
【０００５】
現在の商業的なコンディショニング用ポリマーの性能の欠点は、真の「２イン１」コンディショニングシャンプーの達成を可能にする新規なポリマー材料の探索を促進した。従って、特に、ヘアケアおよびスキンケアの分野において、以下の特徴を同時に示すカチオン性ポリマーの必要性が存在する：１）これらは、シリコーンについてのみならず、ケラチン性物質に対して活性である広範な他のコンディショニングについてもまた沈着補助剤として作用できるべきであり、２）これらのポリマーは、任意のさらなるコンディショニング成分の必要を伴うことなく、それらのみにより、ケラチン性物質に対して基本的なコンディショニング効果を提供できるべきであり、そして３）これらは、コンディショニングの相乗効果を提供して、さらなるおよび新規なコンディショニング機能、すなわち、毛髪／皮膚のリファット化、洗浄後の毛髪の「きしみ」の除去、炎症の減少、皮膚軟化の改善、柔軟性、濡れおよび乾燥摩擦の減少、および光沢をもたらすために、他の活性なコンディショニングと相互作用可能であるべきである。
【０００６】
しかし、１つの単独のカチオン性ポリマーを用いてこれらの３つの効果を達成することは、大きな技術的な難問をかかえている。これはとりわけ、洗浄および沈着のプロセスが本質的に対立する、すなわち、洗浄プロセスが、ケラチン性物質のみならず、その表面に沈着する任意の他のコンディショナー物質からもまたポリマーを除去する傾向がある「２イン１」洗浄またはクレンジング組成物において真実である。
【０００７】
本発明者らは、洗浄プロセスに影響を与えることなく、上記の３つの任務を実施可能な両性ターポリマーを首尾よく設計した。理論によって束縛されることは望まないが、ターポリマーバックボーンにおける各モノマー単位は具体的な機能を有していると考えられる。例えば、ターポリマーにおけるカチオン性部分は、洗浄組成物からの負のケラチン性物質と実質的に作用し、加えて、アニオン性界面活性剤との複合体形成を可能にする。さらに、脂肪族アミンおよびカチオン性界面活性剤などの他のコンディショニング物質とのターポリマーの複合体形成は、アニオン性モノマー単位の存在によって達成される。最後に、コンディショニングおよび保湿のための特定の程度の疎水性および極性が、ジアリルアミンまたはジアリルアミンの誘導体から形成される第３のモノマー単位を用いて達成される。
【０００８】
上記のモノマー組成物を用いると、ターポリマーは、その場所で、洗浄組成物とのコアセルベート複合体を形成することもできる。これらの複合体は、フロック形成によるコンディショニング活性の沈着を補助するターポリマー／界面活性剤の平滑層を沈着させるために適切なレオロジーを有する。これらの特性を有しているので、両性ターポリマーは、洗浄およびリンスオフ組成物中に製剤化されたとき、これらは以下の特性を有する：１）本発明の両性ターポリマーは、アニオン性界面活性剤の存在下でさえ、ケラチン物質について強力な親和性を有し、２）わずかに疎水性および極性であることにより、これらは、それら自体に対してコンディショニングを提供でき、３）アニオン性、脂肪族アミン、およびカチオン性界面活性剤と同時に複合体形成するこれらの能力により、これらは、増強かつ追加された機能を提供できる。例えば、ターポリマーは、ケラチン性物質に対してポリマー／脂肪部分の層を沈着できるので、これらは、シャンプーした毛髪に特徴的な「毛髪のきしみ」の効果を減少するリファット剤としてもまた作用できる。この後者の特徴は、これまでに文献中に記載されたパーソナルケアで使用されたすべてのポリマーにおいてほとんど存在していない。
【０００９】
クレンジングまたは洗浄組成物中でのこのターポリマーの使用は、カチオン性界面活性剤が、アニオン性界面活性剤を含む製剤に加えられたときにしばしば遭遇する沈殿の困難さを解決する。４）最後に、複雑なコアセルベートを形成するそれらの能力のために、このターポリマーは、シリコーンおよび他のオイルと組み合わせたときに、これらのための沈着補助剤として作用することもできる。従って、これらのポリマーは、それ自体によりケラチン性物質に対するコンディショナーとして有効に働くのみならず、これらは、脂肪族アミン、脂肪族四級物質、シリコーン、ならびにクレンジングおよびリンスオフ組成物からの他のコンディショニングオイルのための沈着剤としてもまた機能して、潤滑性、柔軟性、スタイリングの扱いやすさ、および全体のコンディショニングの相乗効果をケラチン性物質に提供する。
【背景技術】
【００１０】
２．背景技術の簡単な説明
カチオン性および両性コンディショニング用ポリマーは、パーソナルケア組成物における使用のために知られている。
【００１１】
カチオン性ホモポリマーは、製剤に対して濃厚化効果を有することが具体的に知られており、毛髪および皮膚のためのコンディショニング剤として良好であることもまた知られている。例えば、ＳＡＬＣＡＲＥ  ＳＣ  ９６は、Ｃｉｂａ  Ｃｏｒｐｏｒａｔｉｏｎ，Ｔａｒｒｙｔｏｗｎ，ＮＹから利用可能なメタクリロイルエチルトリメチルアンモニウムクロリドのホモポリマーである。これは、パーソナルケア組成物における濃厚剤として周知である。
【００１２】
米国出願公開第２００８／００５７０１６号、同第２００８／０２０６３５５号、同第２００５／２０２９８４号、および米国特許第７，３０３，７４４号は、シャンプー製剤における使用のためのアクリルアミドプロピルトリメチルアンモニウムクロリド（ＡＰＴＡＣ）およびメタクリルアミドプロピルトリメチルアンモニウムクロリド（ＭＡＰＴＡＣ）のホモポリマーを教示している。
【００１３】
Ｃｉｂａ  Ｃｏｒｐｏｒａｔｉｏｎ，Ｔａｒｒｙｔｏｗｎ，ＮＹから入手可能なＳＡＬＣＡＲＥ  ＳＣ６０（ＡＰＴＡＣ／アクリルアミドコポリマー）などのカチオン性コポリマーは、毛髪に対する使用のために教示されている。例えば、米国特許第５，５４３，０７４号、同第６，９０８，８８９号、同第６，８５８，２０２号、同第６，６９６，０５３号、および欧州出願第１  ９１１  ７７８号は、毛髪製剤におけるカチオン性モノマーおよびアクリルアミドのコポリマーを教示している。
【００１４】
両性コポリマーもまた、毛髪に対する使用のために周知である。例えば、米国特許第６，５５５，１０１号、同第６，８２，７７６号、同第６，５１１，６７１号、同第４，８１４，１０１号、同第６，０６６，３１５号、同第６，１１０，４５１号、および同第５，８７９，６７０号は、毛髪における使用のためのＡＰＴＡＣ−アクリル酸コポリマーを教示している。同様のコポリマーを教示しているいくつかの米国出願公開番号は、２００５／０２７６７７８、２００３／００８６８９４、２００３／０１３１４２４、および２００８／００３３１２９、ならびにカナダ国出願第２１３９４９５号である。四級ヒドロキシエチルセルロースのようなカチオン性セルロースおよびカチオン性グアーガムもまた、毛髪における使用のために周知である。
【００１５】
さらに、米国特許第６，３４８，１８８  Ｂ１号および同第６，７０６，２５８  Ｂ１号、ならびに欧州出願第ＥＰ  ０  ５２９  ８８３  Ｂ１、同第ＥＰ  １  １３７  ３９７  Ｂ１号、および同第ＥＰ  ０  １５８  ５３１  Ｂ１号は、毛髪に対してシリコーンを沈着させることが可能である種々のカチオン性ポリマーを教示している。
【００１６】
しかし、これらの特許または公開のいずれも、本明細書に記載される本発明の両性ターポリマーを教示していないし、上記のカチオン製剤または両性製剤は、本発明の両性ターポリマーの複数の利点を示していない。本発明のターポリマーは、公知の当該分野において以前に記載されたものよりも、毛髪および皮膚に対してより広い範囲のコンディショニングの利点を提供する。これらのターポリマーは、とりわけ、２−イン−１シャンプーにおいて有用である。
【発明の概要】
【００１７】
本発明は、新規なコンディショニング用ポリマーを具体化する。
【００１８】
下記から形成されるコンディショニング用ポリマーであって：
ｉ）化学式（Ｉ）によって定義されるカチオン性モノマー
【００１９】
【化１】
0005706345.tif 000002
【００２０】
ここで、
Ｒ1およびＲ2は、独立して、水素またはメチルであり、
Ｒ3、Ｒ4、およびＲ5は、独立して、直鎖状または分枝状Ｃ1−Ｃ30アルキル基であり、
Ｘは、ＮＨ、ＮＲ6または酸素であり、
Ｒ6はＣ1−Ｃ6アルキルであり、
ＬはＣnＨ2nであり、
ｎは１〜５の整数であり、
ならびにＡ−は、メトサルフェートアニオンなどの有機もしくは無機酸、またはクロリドもしくはブロミドなどのハロゲン化物に由来するアニオンであり；
ｉｉ）エチレン性不飽和カルボン酸およびスルホン酸含有モノマーからなる群より選択される少なくとも１種のアニオン性モノマー；
ならびに
ｉｉｉ）化学式（ＩＩ）または（ＩＩＩ）によって定義されるジアリルアミンモノマー
【００２１】
【化２】
0005706345.tif 000003
【００２２】
ここで、
Ｒ7およびＲ8は、独立して、水素またはＣ1−Ｃ4アルキルであり、
Ｒ9は、水素、分枝状または直鎖状Ｃ1−Ｃ30アルキル、Ｃ1−Ｃ30アルコキシ、
【００２３】
【化３】
0005706345.tif 000004
、ヒドロキシ置換Ｃ1−Ｃ10アルキル、Ｃ7−Ｃ9アルキルフェニル、カルボキシアルキル、アルコキシアルキル、およびカルボキシアミドアルキルであり、
Ｒ10は、水素、Ｃ1−Ｃ20アルキル、Ｃ5−Ｃ10シクロアルキル、または非置換もしくは置換ベンジル基であり、
Ｒ10は水素以外であるという条件で、Ｒ9は、
【００２４】
【化４】
0005706345.tif 000005
であり、
ＡＯは、Ｃ1−Ｃ12アルキレンオキシドまたは２種以上のＣ1−Ｃ12アルキレンオキシドの混合物であり、上記２種以上がブロック型またはランダム型で互いに結合されることが可能であり、
ｍは２〜２００の整数であり
Ｒ11は水素またはメチルであり；
ならびに
（ｉｖ）任意に、架橋モノマー；
ここで、形成されたターポリマーは、任意に、脂肪族アミン、脂肪族アミンオキシド、または脂肪族四級物質で少なくとも部分的に中和されている、
コンディショニング用ポリマー。
【００２５】
Ｒ10が水素以外であるという仮定によって意味されることは、化学式（ＩＩＩ）が、例えば、ジアリルジメチル（ｄｉｍｅｔｈｙ）アンモニウムクロリド（ＤＡＤＭＡＣ）ではないことを意味する。
【００２６】
本発明はまた、上記のコンディショニング用ポリマーを含む個人用洗浄組成物またはパーソナルケア組成物を包含する。
【００２７】
特定の関心対象のパーソナルケア組成物は、皮膚および毛髪を含む身体に適用されるパーソナルケア組成物である。
【００２８】
上記のコンディショニング用ポリマーを含むこれらのパーソナルケアまたは個人用洗浄組成物は、化粧品的に受容可能な媒体中に分散されるかまたは可溶性であってもよく、この媒体は、洗浄性アニオン性界面活性剤および／またはシリコーンを任意にさらに含む。
【００２９】
上記のコンディショニング用ポリマーを含む個人用洗浄またはパーソナルケア組成物は、アニオン性、両性、非イオン性、および双性イオン性界面活性剤から選択される少なくとも１種の界面活性剤をさらに含んでもよい。好ましくは、この界面活性剤はアニオン性洗浄性界面活性剤である。
【００３０】
特定の関心対象の個人用洗浄組成物またはパーソナルケア組成物は、シャンプーまたはボディーウォッシュである個人用洗浄組成物である。
【００３１】
特別に関心が持たれるものは、本発明のターポリマーを含む「２イン１」シャンプーである。
【００３２】
従って、シャンプーまたはボディーウォッシュ、好ましくは、シャンプーまたはボディーウォッシュが洗浄性アニオン性界面活性剤および／またはシリコーンを任意にさらに含む、上記のコンディショニング用ターポリマーを含む２イン１シャンプーが特許請求される。
【００３３】
いくつかの方法の実施形態が具体化される。
【００３４】
上記ポリマーを含み、さらに任意に、アニオン性界面活性剤および／またはシリコーンを含む有効量の組成物でケラチン性物質を処理することを包含する、ケラチン性物質の洗浄および／またはコンディショニングのためのプロセス。
【００３５】
皮膚、毛髪、または爪に、シリコーン、脂肪族四級物質、脂肪族アミン、脂肪族アミンオキシド、および他のコンディショニング活性の沈着を増強するための方法であって、上記方法は、
ｉ）上記のポリマー；
ｉｉ）少なくとも１種のシリコーン化合物；
および
任意に、
皮膚、毛髪、または爪への所望の場所に対して有効量の有益な剤
を含む組成物を上記皮膚、毛髪、または爪に局所的に適用することを包含する。
【発明を実施するための形態】
【００３６】
発明の詳細な説明
定義
操作の実施例におけるものは別として、または他に示される場合に、本明細書で使用される成分または反応条件の量を表現するすべての数字は、すべての場合において「約」という用語によって修飾されると理解されるべきである。
【００３７】
「分子量」とは、ｇ／モルで表現される平均分子量（Ｍｗ）を意味する。
【００３８】
すべてのパーセンテージ、部、および比率は、他に特定されない限り、本発明の組成物の総重量に基づく。すべてのこのような重量は、これらが列挙される成分に関する場合、活性レベルに基づき、従って、他に特定されない限り、市販の材料に含まれる可能性がある溶媒または副産物を含まない。
【００３９】
モノマーは、重合されることが可能である、エチレン性不飽和化合物である。
【００４０】
モノマー単位は、重合後にエチレン性不飽和化合物から形成される単位である。
【００４１】
両性（ａｍｐｈｏｔｅｒｉｃまたはａｍｐｈｏｌｙｔｉｃ）は、交換可能に使用されてもよく、アニオン性モノマー単位およびカチオン性モノマー単位を含むポリマーを説明する。両性ポリマーは以下であり得る：その等電点よりも高いｐＨではアニオン性であり；その等電点よりも低いｐＨではカチオン性であり：ここで、等電点とは、ポリマー上の正味の電荷がゼロであるｐＨである。
【００４２】
（メタ）アクリルとは、アクリルとメタクリルの両方の誘導体をいう。
【００４３】
「ポリマー」という用語は、本明細書で使用される場合、１つの型のモノマーの重合によって作られるか、または２種（すなわち、コポリマー）もしくはそれ以上の型のモノマーによって作られる物質を含むべきである。
【００４４】
本発明の目的のための「ターポリマー」という用語は、少なくとも３種の異なるモノマーから形成されるポリマーを意味する。
【００４５】
「水溶性」という用語は、本明細書で使用される場合、ポリマーが本発明の組成物中で水に可溶性であることを意味する。一般的に、このポリマーは、２５℃において、水溶媒の重量で０．１％、好ましくは１％、より好ましくは５％、および最も好ましくは１５％の濃度で可溶性であるべきである。
【００４６】
ケラチン性物質は、ヒトまたは動物の皮膚、毛髪、または爪である。
【００４７】
「皮膚」という用語は、本明細書で使用される場合、顔、首、胸部、背中、腕、手、足、および頭皮上の皮膚を含む。
【００４８】
本明細書で使用される場合、「有効量」という用語は、所望の結果をもたらすために必要な組成物の量、例えば、ケラチン含有物質の状態を整えるために必要な量をいう。
【００４９】
本発明の組成物は、好ましくは、化粧品的に受容可能なビヒクルまたはキャリアを含む。「化粧品的に受容可能なビヒクルまたはキャリア」というこの語句は、本明細書で使用される場合、化粧品的に受容可能である、１種以上の適合可能な固体または液体の充填剤、希釈剤、増量剤などを意味する。本明細書で使用される場合、「化粧品的に受容可能な」とは、ヒトの皮膚、毛髪、または爪と接触する使用のために適切である材料（例えば、化合物または組成物）を意味する。本発明において利用されるキャリアまたはビヒクルの型は、所望される製品の型に依存する。本発明において有用な組成物は、広範な種々の製品型であり得る。これらには、シャンプー、リンスオフコンディショナー、ローション、クリーム、ジェル、スプレー、ペースト、ムース、および懸濁液が含まれるがこれらに限定されない。
【００５０】
コンディショニング用ターポリマー
本発明の新規なコンディショニング用ポリマーは、少なくとも以下の３種のモノマーから形成される。
ｉ）化学式（１）によって包含されるカチオン性モノマー
【００５１】
【化５】
0005706345.tif 000006
【００５２】
ここで、
Ｒ1およびＲ2は、独立して、水素またはメチルであり、
Ｒ3、Ｒ4、およびＲ5は、独立して、直鎖状または分枝状Ｃ1−Ｃ30アルキル基であり
Ｘは、ＮＨ、ＮＲ6または酸素であり、好ましくは、ＸはＮＨまたはＮＲ6であり、最も好ましくは、ＸはＮＨであり、
Ｒ6はＣ1−Ｃ6アルキルであり、
ＬはＣnＨ2nであり、
ｎは１〜５の整数であり、
ならびにＡ−は、メトサルフェートアニオンなどの有機もしくは無機酸、またはクロリドもしくはブロミドなどのハロゲン化物に由来するアニオンであり；
ｉｉ）エチレン性不飽和カルボン酸およびスルホン酸含有モノマーからなる群より選択される少なくとも１種のアニオン性モノマー；
ならびに
ｉｉｉ）化学式（ＩＩ）または（ＩＩＩ）によって定義されるジアリルアミン
【００５３】
【化６】
0005706345.tif 000007
ここで、
Ｒ7およびＲ8は、独立して、水素またはＣ1−Ｃ4アルキルであり、
ならびに
Ｒ9は、水素、分枝状または直鎖状Ｃ1−Ｃ30アルキル、
【００５４】
【化７】
0005706345.tif 000008
、Ｃ1−Ｃ30アルコキシ、ヒドロキシ置換Ｃ1−Ｃ10アルキル、Ｃ7−Ｃ9アルキルフェニル、カルボキシアルキル、アルコキシアルキル、およびカルボキシアミドアルキルであり、
Ｒ10は、水素、Ｃ1−Ｃ20アルキル、Ｃ5−Ｃ10シクロアルキル、または非置換もしくは置換ベンジル基であり、好ましくは、Ｒ10は、水素、Ｃ1−Ｃ4アルキル、またはベンジルであり、最も好ましくは、Ｒ10は水素であり；
Ｒ10は水素以外であるという条件で、Ｒ9は、
【００５５】
【化８】
0005706345.tif 000009
であり、
ＡＯは、Ｃ1−Ｃ12アルキレンオキシドまたはその２種以上の混合物であり、上記２種以上がブロック型またはランダム型で互いに結合されることが可能であり、
ｎは２〜２００の整数であり
Ｒ11は水素またはメチルであり；
ならびに
（ｉｖ）任意に、架橋モノマー；
ここで、形成されたターポリマーは、任意に、脂肪族アミン、脂肪族アミンオキシド、または脂肪族四級物質で少なくとも部分的に中和または複合体形成されている。
【００５６】
化学式（Ｉ）に関して、Ｒ3、Ｒ4、およびＲ5は、例えば、Ｃ1−Ｃ14、Ｃ1−Ｃ8、Ｃ1−Ｃ6またはＣ1−Ｃ4である。最も典型的には、Ｒ3、Ｒ4、およびＲ5は、メチル、エチル、プロピル、ブチルなどのＣ1−Ｃ4またはその混合物である。
【００５７】
本発明のコンディショニング用ターポリマーにおいて使用される化学式（Ｉ）のカチオン性モノマーは、例えば、（メタ）アクリロイルオキシエチル−Ｎ，Ｎ，Ｎ−トリメチルアンモニウムクロリド、（メタ）アクリロイルオキシエチル−Ｎ−エチル−Ｎ，Ｎ−ジメチルアンモニウムモノエチルサルフェート、（メタ）アクリロイルオキシエチル−Ｎ，Ｎ，Ｎ−トリエチルアンモニウムモノエチルサルフェート、（メタ）アクリロイルアミノプロピル−Ｎ，Ｎ，Ｎ−トリメチルアンモニウムクロリド、（メタ）アクリロイルアミノプロピル−Ｎ−エチル−Ｎ，Ｎ−ジメチルアンモニウムモノエチルサルフェート、（メタ）アクリロイルアミノプロピル−Ｎ，Ｎ−ジエチル−Ｎ−メチルアンモニウムクロリド、（メタ）アクリロイルアミノプロピル−Ｎ，Ｎ−ジエチル−Ｎ−メチルアンモニウムモノメチルサルフェート、およびこれらの混合物からなる群より、好ましくは、（メタ）アクリロイルアミノプロピル−Ｎ，Ｎ，Ｎ−トリメチルアンモニウムクロリド、（メタ）アクリロイルアミノプロピル−Ｎ−エチル−Ｎ，Ｎ−ジメチルアンモニウムモノエチルサルフェート、（メタ）アクリロイルアミノプロピル−Ｎ，Ｎ−ジエチル−Ｎ−メチルアンモニウムクロリド、（メタ）アクリロイルアミノプロピル−Ｎ，Ｎ−ジエチル−Ｎ−メチルアンモニウムモノメチルサルフェート、およびこれらの混合物からなる群より、とりわけ、アクリロイルアミノプロピル−Ｎ，Ｎ，Ｎ−トリメチルアンモニウムクロリドより選択される。
【００５８】
化学式（Ｉ）または成分ｉ）のカチオン性モノマーは、例えば、形成されたコンディショニング用ターポリマーの少なくとも約１０〜約９８重量パーセントを占める。
【００５９】
あるいは、例えば、化学式（Ｉ）のカチオン性モノマーは、形成されたターポリマーの総重量の約４０〜約９６または約４０〜約９４重量パーセントを占める。最小限約４０または５０重量％の成分ｉ）が最も典型的である。
【００６０】
成分ｉｉ）のアニオン性モノマーは、典型的には、カルボン酸またはスルホン酸基を含む。例えば、アクリル酸（ＡＡ）、メタクリル酸（ＭＡＡ）、２−アクリルアミド−２−メチルプロパンスルホン酸（ＡＭＰＳＡ）、２−メタクリルアミド−２−メチルプロパンスルホン酸（ＭＡＭＰＳＡ）、クロトン酸、２−メチルクロトン酸、マレイン酸、無水マレイン酸、イタコン酸、無水イタコン酸、およびこれらの混合物が考慮される。
【００６１】
例えば、コンディショニング用ターポリマーは、アクリル酸、メタクリル酸、クロトン酸、イソクロトン酸、２−エチルプロペン酸などのモノエチレン性不飽和Ｃ3−Ｃ6モノカルボン酸、またはマレイン酸、フマル酸、イタコン酸などのエチレン性不飽和Ｃ4−Ｃ6ジカルボン酸、またはこれらの無水物、例えば、無水マレイン酸、またはこれらのナトリウム塩、カリウム塩、もしくはアンモニウム塩である成分ｉｉ）のアニオン性モノマーから形成される。
【００６２】
成分ｉｉ）のアニオン性モノマーは、とりわけ、化学式（ＶＩ）の化合物またはその無水物であって：
【００６３】
【化９】
0005706345.tif 000010
【００６４】
ここで
Ｒ12およびＲ13は、独立して、水素またはＣ1−Ｃ6アルキルであり、
Ｒ14は、水素、Ｃ1−Ｃ6アルキル、またはＣＯＯＭ基であり、ならびに
Ｍは、水素、一価または二価金属イオン、アンモニウム、または有機アンモニウムイオンである。
【００６５】
特に好ましい実施形態は、成分ｉｉ）のアニオン性モノマーが化学式（ＶＩ）の化合物またはその無水物であるコンディショニングポリマーであって：
【００６６】
【化１０】
0005706345.tif 000011
【００６７】
Ｒ12およびＲ13は、独立して、水素またはＣ1−Ｃ6アルキルであり、
Ｒ14は、水素、Ｃ1−Ｃ6アルキル、またはＣＯＯＭ基であり、
Ｍは、水素、一価または二価金属イオン、アンモニウム、または有機アンモニウムイオンであり、
ジアリル成分ｉｉｉ）のＲ9およびＲ10は水素であり
ならびに
形成されたターポリマーは、脂肪族アミンまたは脂肪族アミンオキシドで少なくとも部分的に中和されている。
【００６８】
アニオン性モノマーまたは成分ｉｉ）は、好ましくは、形成されたコンディショニング用ポリマーの総重量の少なくとも２〜約２５、約４〜約２０、約５〜約１５重量パーセントを占める。
【００６９】
最も頻繁には、成分ｉｉ）は、好ましくは、２０または３０重量％を超えない。例えば、成分ｉｉ）は、最も頻繁には、最小で約３または４重量％であり、最大で約２０重量％である。
【００７０】
成分ｉ）およびｉｉ）のモル濃度比は、１２：１〜３：１で、好ましくは、例えば、１０：１〜４：１で変動する可能性がある。従って、このターポリマーは、このターポリマーが分散または溶解される媒体のｐＨに関わらず、常にカチオン性電荷を有する。
【００７１】
成分ｉｉｉ）モノマーは、例えば、ジアリルアミンである。
ジアリルアミンのアミンは、Ｒ9および／またはＲ10で置換されてもよい。
Ｒ9は、水素、分枝状または直鎖状Ｃ1−Ｃ30アルキル、
【００７２】
【化１１】
0005706345.tif 000012
、Ｃ1−Ｃ30アルコキシ、ヒドロキシ置換Ｃ1−Ｃ10アルキル、Ｃ7−Ｃ9フェニルアルキル、カルボキシアルキル、アルコキシアルキル、およびカルボキシアミドアルキルとして定義される。
*はジアリルアミンの窒素への結合を表す。
【００７３】
直鎖状または分枝状Ｃ1−Ｃ30アルキルは、例えば、Ｃ1−Ｃ4、Ｃ1−Ｃ6、Ｃ1−Ｃ8、Ｃ1−Ｃ10、Ｃ1−Ｃ12、Ｃ1−Ｃ14、Ｃ1−Ｃ16、Ｃ1−Ｃ18、Ｃ1−Ｃ20、Ｃ1−Ｃ22、Ｃ1−Ｃ24、Ｃ1−Ｃ26、またはＣ1−Ｃ28を有するアルキルである。特定の例には、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラ-メチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシル、ステアリル、ラウリル、セチル、オクタデシル、イコシル、またはドコシルが含まれる。
【００７４】
Ｃ１−Ｃ12アルキレンオキシドは、例えば、ＣＨ3−Ｏ−ＣＨ2−、ＣＨ3−（Ｏ−ＣＨ2ＣＨ2−）2Ｏ−ＣＨ2−、ＣＨ3−（Ｏ−ＣＨ2ＣＨ2−）3Ｏ−ＣＨ2−、またはＣＨ3−（Ｏ−ＣＨ2ＣＨ2−）4Ｏ−ＣＨ2−である。
【００７５】
例えば、Ｒ9は、ポリエチレンオキシドまたはポリプロピレンオキシドまたはその混合物によって置換されてもよい。
【００７６】
このような置換アルコキシル化ジアリルアミンは、全体が参照により本明細書に組み込まれる、米国特許第７，５７９，４２１号および同第５，４７８，８８３号に開示されている。
【００７７】
例えば、化学式（ＩＩ）または（ＩＩＩ）はモノマーであってもよく、ここで、Ｒ9は、
【００７８】
【化１２】
0005706345.tif 000013
であり、ＡＯは、Ｃ1−Ｃ12アルキレンオキシドまたはその２種以上の混合物であり、上記２種以上がブロック型またはランダム型で互いに結合されることが可能であり、
ｍは１〜２００の整数であり
そしてＲ11は水素またはメチルである。
【００７９】
ジアリルアミンは、化学式（ＩＩ）または（ＩＩＩ）の化合物であり得る：
【００８０】
【化１３】
0005706345.tif 000014
【００８１】
特に好ましい（ＩＩ）または（ＩＩＩ）のモノマーは
【００８２】
【化１４】
0005706345.tif 000015
であり、ここで、ＡＯは、エチレンオキシド、プロピレンオキシド、１−ブチレンオキシド、ブチレンオキシドの異性体などのＣ2−Ｃ4アルキレンオキシドまたはその混合物であり、アルキレンオキシドの２種以上がブロック型またはランダム型で互いに結合されることが可能であり、
Ｒ8およびＲ7は、上記に定義された通りであり、
そしてＲ11は、水素またはメチルである。
【００８３】
好ましい化学式（ＩＩａ）または（ＩＩＩａ）のモノマーは、約１０〜３０重量パーセントのプロピレンオキシドおよび約９０〜７０重量パーセントのエチレンオキシドとのジアリルアミンの反応によって形成され、化学式（ＩＩａ）および（ＩＩＩａ）のジアリルアミンの平均分子量は約５００〜約３５００である。
【００８４】
別のとりわけ好ましい化学式（ＩＩ）の化合物はジアリルアミンであり、ここで、Ｒ9は、水素であり、
そして化学式（ＩＩＩ）は、プロトン化塩である（Ｒ9およびＲ10は水素である）。
【００８５】
Ｃ7−Ｃ9−フェニルアルキルは、例えば、ベンジル、α−メチルベンジル、α、α−ジメチルベンジル、または２−フェニル-エチルである。
【００８６】
カルボキシアルキルは、例えば、−ＣＯＣＨ2ＣＨ3、−ＣＯ（ＣＨ2）nＣＨ3であり、ここで、ｎは、１−４、１−６、１−８、１−１０、１−１２、もしくは１−１６、または−ＣＯＣＨ2ＣＨ（ＣＨ3）2である。従って、カルボキシアルキルのアルキルは、分枝状または直鎖状であってもよく、炭素数はＣ2−Ｃ24、Ｃ2−Ｃ20、Ｃ2−Ｃ18、Ｃ2−Ｃ12、Ｃ2−Ｃ8、またはＣ2−Ｃ6で変動する。
【００８７】
カルボキシアミドアルキルは、上記のカルボキシアルキルと類似している。カルボキシルアミドアルキルは、例えば、−ＣＯＮＣＨ2ＣＨ3、−ＣＯＮ（ＣＨ2）nＣＨ3、ここで、ｎは、１−４、１−６、１−８、１−１０、１−１２もしくは１−１６、または−ＣＯＣＨ2ＣＨ（ＣＨ3）2である。従って、カルボキシアルキルのアルキルは、分枝状または直鎖状であってもよく、Ｃ2−Ｃ24、Ｃ2−Ｃ20、Ｃ2−Ｃ18、Ｃ2−Ｃ12、Ｃ2−Ｃ8、またはＣ2−Ｃ6炭素の炭素数で変動する。
【００８８】
例えば、アルコキシアルキルは、エトキシエチル、プロポキシメチル、メトキシメチル、メトキシエチル、エトキシブチル、エトキシオクチルなどである。アルコキシの炭素数は、例えば、Ｃ1−Ｃ6から変動する。アルコキシアルキルのアルキルは、例えば、Ｃ1−Ｃ18、Ｃ1−Ｃ12、Ｃ1−Ｃ8、またはＣ1−Ｃ6で変動する。
【００８９】
ヒドロキシ置換Ｃ1−Ｃ10アルキルは、例えば、−ＣＨ２ＣＨ２−ＯＨ、−ＣＨ２ＣＨ２ＣＨ２ＯＨ、−ＣＨ２ＣＨ（ＯＨ）ＣＨ２ＣＨ２ＯＨである。Ｃ1−Ｃ10アルキルのアルキルは、例えば、Ｃ1−Ｃ8、Ｃ1−Ｃ6、Ｃ1−Ｃ4．またはＣ1−Ｃ2の範囲であってもよい。アルキルは、例えば、モノ、ジまたはトリヒドロキシル置換されてもよい。
【００９０】
化学式（ＩＩ）の適切なジアリルアミンは、例えば、ジアリルアミン、ジアリルメチルアミン、ジアリルエチルアミン、ジアリルプロピルアミン、ジアリルブチルアミン、ジアリルヒドロキシメチルアミン、ジアリルヒドロキシエチルアミン、ジアリルヒドロキシプロピルアミン、ジアリルエトキシエチルアミン、およびジアリルヒドロキシルブチルアミンである。
【００９１】
ジアリルアミンは架橋剤としては機能しないが、モノマーはジオレフィン性である。そうでなく、以下のように、モノマーは重合して、ポリマーバックボーンの一部として、ピロリジン環を形成する。
【００９２】
【化１５】
0005706345.tif 000016
【００９３】
成分ｉｉｉ）は形成したポリマーの総重量の約２．０〜約４０重量パーセントを占めてもよく、または形成したポリマーの総重量の、例えば、約２、３、４、５、６、７、８、９，１０、１２、１５、１８、２０、３０または３５重量パーセントを占めてもよい。
【００９４】
成分ｉｉｉ）は、形成したポリマーの総重量の約２〜約４０、約３〜約３５、または約３〜約３０重量パーセントを占めてもよい。
【００９５】
形成したターポリマー中の成分ｉｉｉ）の重量パーセントは、成分ｉｉｉ）の分子量に非常に多くを依存する。例えば、成分ｉｉｉ）のＲ9が、
【００９６】
【化１６】
0005706345.tif 000017
である場合、モノマーの平均分子量は５００〜３５００で変動してもよい。
【００９７】
コンディショニング用ターポリマーは、（ＩＩａ）および（ＩＩＩａ）などのモノマーから形成される場合、
【００９８】
【化１７】
0005706345.tif 000018
【００９９】
ＩＩａおよび／またはＩＩＩａのポリマー化モノマー単位は、形成したコンディショニング用ターポリマーの約６または７〜約３５、８〜約３０重量パーセントを占める。
【０１００】
さらなる（ＩＩａ）および（ＩＩＩａ）モノマーは界面活性剤特性を有する。アルキレンオキシド置換モノマーは、特定のＣ1−Ｃ12アルキレンオキシドおよび反復単位の数によって決定される親水性−親油性バランスを示す。コンディショニング用ターポリマーを形成するために使用される（ＩＩａ）および（ＩＩＩａ）の好ましいモノマーは、５〜約１８のＨＬＢによって特徴付けられる。
【０１０１】
上記の化学式（ＩＩａ）および（ＩＩＩａ）のジアリルアミンモノマー成分ｉｉｉ）は、約５００〜約３５００、好ましくは約８００〜約３０００、最も好ましくは約１０００〜約３０００の平均分子量（ＧＰＣを介して）によって特徴付けられる。
【０１０２】
特に好ましいコンディショニング用ポリマーは、約１０〜３０重量パーセントのプロピレンオキシドおよび約９０〜７０重量パーセントのエチレンオキシドとのジアリルアミンの反応によって形成された化学式（ＩＩａ）または（ＩＩＩａ）のモノマーを含む。
【０１０３】
上記の化学式（ＩＩａ）および（ＩＩＩａ）のジアリルアミンモノマー成分ｉｉｉ）を使用して形成されたさらなるコンディショニング用ターポリマーは、５から１８の間、好ましくは６〜１７の親水性−親油性バランスによって特徴付けられる。
【０１０４】
ＨＬＢ値は、基の寄与を使用するＤａｖｉｓ式を使用して計算される：
ＨＬＢ＝７＋ΣＨ（親水性基数）−ΣＬ（親油性基数）
ここで、ΣＨは親水性基の寄与の合計であり、ΣＬは疎水性基の寄与の合計である。
【０１０５】
これらの計算方法は、Ｄａｖｉｓ，Ｊ．Ｔ．，Ｒｉｄｅａｌ，Ｅ．Ｋ．Ｉｎｔｅｒｆａｃｉａｌ  Ｐｈｅｎｏｍｅｎａ  １９６３，第２版，Ａｃａｄｅｍ．Ｐｒｅｓｓ，ＬｏｎｄｏｎおよびＤａｖｉｓ，Ｊ．Ｔ．Ｐｒｏｃ．Ｉｎｔ．Ｃｏｎｇｒ．Ｓｕｒｆ．Ａｃｔ．第２版，１９５７，１，４２６−４３８の中でさらに説明されている。
【０１０６】
形成されたターポリマーは、例えば、正味の正電荷を有する。この正味の正電荷は、化学式（Ｉ）のモノマー単位に主として起因し、ターポリマーマトリックスまたは製剤環境とは無関係である。しかし、ジアリルアミンモノマー単位は、酸性環境にある場合、形成されたターポリマーの合計のカチオン電荷にもまた寄与する可能性がある。シャンプー製剤は、典型的には、わずかに酸性、すなわち、５〜約６．５であるので、化学式（ＩＩＩ）のジアリルアミンモノマー単位は、おそらくプロトン化されて、形成されるターポリマー（Ｒ10が水素である）にさらなるカチオン電荷を与える。
【０１０７】
形成されたターポリマーの全体の電荷密度は、ある程度までは、媒体のｐＨに依存している。しかし、この電荷密度は、約０．２〜約６または７ｍ当量／グラムで変動する。例えば、電荷密度は、約０．５〜約６または約１〜約５ｍ当量／グラムで変動する。典型的には、わずかに酸性の環境におけるターポリマーの電荷密度は約１．０〜約４．５または約２〜約３．８で変動する。
【０１０８】
形成されたポリマーにおける（アニオン性モノマーまたは成分ｉｉ）からの）負電荷は、重合プロセスの間または重合プロセスの後で脂肪族アミン、オキシド、または脂肪族四級物質のいずれかを加えることにより、中和されるか、脂肪族アミン、脂肪族アミンオキシド、または脂肪族四級物質との複合体またはコアセルベーションを形成してもよい。例えば、酸性モノマーによって発生する負電荷は、重合の前に中和され、その後で重合されてもよい。あるいは、脂肪族アミン、または脂肪族アミンオキシド、または脂肪族四級物質は、単純に、両性ポリマーの形成後に加えられてもよい。好ましくは、脂肪族アミン、または脂肪族アミンオキシド、または脂肪族四級物質は、とにかく加えられるのであれば、両性ポリマーが形成した後で加えられる。
【０１０９】
本発明の１つの実施形態において、コンディショニング剤とともにコンディショニング用ターポリマーを含む、個人用洗浄またはパーソナルケア組成物は、水の希釈の際に、または製剤への本発明のターポリマーの添加の際に形成する、複合コアセルベート中に存在してもよい。このコアセルベートは、脂肪族アミン、脂肪族アミンオキシド、以下に定義される脂肪族四級物質、シリコーン、オイル、またはこれもまた以下に定義される皮膚軟化剤などのコンディショニング剤との複合体を含んでもよい。
【０１１０】
脂肪族アミン、および脂肪族アミンオキシド、および脂肪族四級物質
これらの脂肪族アミンは、本質的に、カチオン性界面活性剤である。
【０１１１】
脂肪族アミン
本発明の組成物に対して有用である脂肪族アミンには、一級、二級、および三級アミンが含まれる。
【０１１２】
以下の化学式を有する脂肪族アミンまたはその塩
【０１１３】
【化１８】
0005706345.tif 000019
【０１１４】
ここで、Ｒ1は、Ｃ8−Ｃ30直鎖または分枝鎖脂肪族であり、
Ｒ2およびＲ3は、独立して、水素、Ｃ1−Ｃ30直鎖または分枝鎖脂肪族、ヒドロキシアルキル、アミドアルキル、カルボキシアルキル、環状、アルコキシ、ポリアルコキシ，またはヒドロキシポリアルコキシ基であり、有用な脂肪族アミンとして機能する。例えば、Ｒ2およびＲ3は、独立して、Ｃ1−Ｃ8アルキルまたはＣ1−Ｃ6アルキルである。
【０１１５】
その一級、二級、および三級脂肪族アミンの非限定的な例は、オクチルアミン、デシルアミン、ドデシルアミン、テトラデシルアミン、ヘキサデシルアミン、オクタデシルアミン、ラウリルアミン、ミリスチルアミン、ステアリルアミン、エイコシルアミン、ドコシルアミン、ココアミン、オレイルアミン、獣脂アミン、水素化獣脂アミン、ダイズアミン、ジオクチルアミン、ジデシルアミン、ジドデシルアミン、ジテトラデシルアミン、ジヘキサデシルアミン、ジココアミン、脱水素化獣脂アミン、ジオクタデシルアミン、Ｎ−メチルジオクタデシルアミン、Ｎ，Ｎ−ジメチルドデシルアミン、Ｎ，Ｎ−ジメチルミリスチルアミン、Ｎ，Ｎ−ジメチルステアリルアミン、およびＮ，Ｎ−ジメチルオクタデシルアミンである。
【０１１６】
ミリスチルアミンは、テトラデカミンと規定されているが、それどころか、Ｃ12、Ｃ14、およびＣ16ホモログのブレンドである。
【０１１７】
ステアリルアミンは、ステアリルがオクタデカミンであるが、それどころか、Ｃ16、Ｃ18、およびＣ20のブレンドであるという点で類似である。
【０１１８】
ラウリルアミンはドデシルアミンとして定義されているが、しかし、それどころか、Ｃ10、Ｃ12、およびＣ14ホモログのブレンドである。
【０１１９】
上記の脂肪族アミンの混合物もまた使用されてもよい。
【０１２０】
脂肪族アミンオキシド
以下の一般式に対応する長鎖三級アミンオキシド：
【０１２１】
【化１９】
0005706345.tif 000020
【０１２２】
ここで、Ｒ1は、約８〜約１８個の炭素原子のアルキル、アルケニル、またはモノヒドロキシアルキル基、０〜約１０個のエチレンオキシド部分、および０〜約１個のグリセリル部分を含み、Ｒ2およびＲ3は、約１〜約３個の炭素原子および０〜約１個のヒドロキシ基、例えば、メチル、エチル、プロピル、ヒドロキシエチル，またはヒドロキシプロピル基を含む。化学式の中の矢印は、半極性結合の慣例的表現である。
【０１２３】
本発明における使用のために適切なアミンオキシドの非限定的な例には、ジメチル−ドデシルアミンオキシド、オレイルジ（ｏｌｅｙｉｄｉ）（２−ヒドロキシエチル）アミンオキシド、ジメチルオクチルアミンオキシド、ジメチル−デシルアミンオキシド、ジメチル−テトラデシルアミンオキシド、３，６，９−トリ−オキサヘプタデシルジエチルアミンオキシド、ジ（２−ヒドロキシエチル）−テトラデシルアミンオキシド、２−ドデコキシエチルジメチルアミンオキシド、３−ドデコキシ−２−ヒドロキシプロピルジ（３−ヒドロキシプロピル）アミンオキシド、ジメチルヘキサデシルアミンオキシド、ミリスチルジメチルアミンオキシド、およびステアリルジメチルアミンオキシドが含まれる。
【０１２４】
脂肪族四級物質
ターポリマーの電荷中和のために適切なカチオン性界面活性剤は、以下の化学式に対応するモノ−およびジアルキル四級物質である。
化学式（ＶＩ）
【０１２５】
【化２０】
0005706345.tif 000021
【０１２６】
本発明における使用のために適切なモノ長鎖アルキル四級物質には、同一であってもよくまたは異なっていてもよいＲ1、Ｒ2、およびＲ3が、Ｃ1−Ｃ4アルキル基（すなわち、エチルまたはメチル）であり、Ｒ4がＣ8またはより高級な脂肪族ヒドロカルビル基（好ましくはＣ14〜Ｃ22アルキル）である、化学式（ＶＩ）のコンディショニング用界面活性剤が含まれる。本発明における使用のために適切な他のアルキル四級物質には、同一であってもよくまたは異なっていてもよいＲ1およびＲ2がＣ1−Ｃ4アルキル基（すなわち、エチルまたはメチル）であり、Ｒ3がアリール基、例えば、ベンジルであり、そしてＲ4がＣ8またはより高級な脂肪族ヒドロカルビル基（例えば、Ｃ14〜Ｃ22アルキル）である、化学式（ＶＩ）のコンディショニング用界面活性剤である。［Ａ］は、クロリド、ブロミド、またはメトサルフェートであり得る。モノアルキル四級物質は、混合物の型であってもよいが、そうである必要はない。モノアルキル四級物質の非限定的な例は以下である：
セチルトリメチルアンモニウムクロリド（Ｃ１６）；
ステアリルトリメチルアンモニウムクロリド（Ｃ１８）；
ベヘニルトリメチルアンモニウムクロリド（Ｃ２２）；
セチルトリメチルアンモニウムブロミド（Ｃ１６）；
獣脂トリモニウムクロリド（Ｃ１６／Ｃ１８）；
ベヘニルトリメチルアンモニウムメトサルフェート（Ｃ２２）；
パルミトイルトリメチルアンモニウムクロリド（Ｃ１６）；
水素化獣脂トリメチルアンモニウムクロリド（Ｃ１６／Ｃ１８）；
水素化獣脂トリメチルアンモニウムブロミド（Ｃ１６／Ｃ１８）；
水素化獣脂トリメチルアンモニウムメトサルフェート（Ｃ１６／Ｃ１８）；
セトリモニウムトシレート（Ｃ１６）：および
エイコシルトリメチルアンモニウムクロリド（Ｃ２０）。
【０１２７】
化学式（ＶＩ）には、同一であってもよくまたは異なっていてもよいＲ1およびＲ2がＣ1−Ｃ4アルキル基であり、同一であってもよくまたは異なっていてもよいＲ3およびＲ4がＣ8またはより高級な脂肪族ヒドロカルビル基（例えば、Ｃ14〜Ｃ22アルキル）である、ジアルキル四級物質もまた含まれる。所望される場合、このジアルキル四級物質は混合物の型であってもよい。ジアルキル四級物質の非限定的な例は以下である：
ジメチルジセチルアンモニウムクロリド（Ｃ１６）；
ジメチルジステアリルアンモニウムクロリド（Ｃ１８）；
ジメチルジパルミチルアンモニウムクロリド（Ｃ１６）；
ジメチル（二水素化獣脂）アンモニウムクロリド（Ｃ１６／Ｃ１８）；
ジメチル（二獣脂）アンモニウムクロリド（Ｃ１６／Ｃ１８）
ジメチル（二水素化獣脂）アンモニウムブロミド（Ｃ１６／Ｃ１８）
ジメチル（二水素化獣脂）アンモニウムメトサルフェート（Ｃ１６／Ｃ１８）。
【０１２８】
望ましくは、ターポリマーを中和するためのカチオン性界面活性剤のレベルは、ターポリマーの総重量に基づいて、約０．１〜約５重量パーセントで変動する。本発明の実施において、カチオン性界面活性剤は、モノアルキル四級物質およびジアルキル四級物質の混合物でもまたあり得、ここで、モノアルキル四級物質対ジアルキル四級物質の比率は、１５：１〜１：０．５であり、より特定には、０：１〜１：１が特に関心が持たれるものである。
【０１２９】
脂肪族四級物質、脂肪族アミン、または脂肪族アミンオキシド対ターポリマーの重量比は、例えば、約１：５〜約５：１、代替的には、約１：３〜約３：１、またはより典型的には、約１：２〜約１：２で変動してもよい。
【０１３０】
この新規な両性ターポリマーは、モノマー基ｉ）、ｉｉ）、およびｉｉｉ）によって規定されるもの以外のさらなるモノマーを含んでもよい。
【０１３１】
例えば、この両性ポリマーは、任意に、さらなる非イオン性モノマーもまた含んでもよい。例えば、この両性ポリマーは、任意に、Ｃ1−Ｃ22直鎖または分枝鎖アルキルアクリレートまたはメタクリレート、Ｃ1−Ｃ22直鎖または分枝鎖ｎ−アルキルアクリルアミドまたはメタクリルアミド、Ｃ1−Ｃ6ヒドロキシ置換アルキルアクリレートまたはメタクリレート、ｎ−ビニルピロリドン、酢酸ビニル、エトキシル化およびプロポキシ化アクリレートまたはメタクリレート、および非置換アクリルアミドからなる群より選択される少なくとも１種のモノマーもまた含んでもよい。
【０１３２】
成分ｉ）、ｉｉ）、およびｉｉｉ）のモノマーと任意に重合されてもよい適切な非イオン性モノマーは、例えば、アクリルアミド、ヒドロキシエチル（メタ）アクリレート、Ｎ，Ｎ−ジメチル（メタ）アクリルアミド、Ｎ，Ｎ−ジエチル（メタ）アクリルアミド、Ｎ−メチル（メタ）アクリルアミド、Ｎ−エチル（メタ）アクリルアミド、メチル（メタ）アクリレート、エチル（メタ）アクリレート、プロピル（メタ）アクリレート、ブチル（メタ）アクリレート、およびオクチル（メタ）アクリレートである。
【０１３３】
両性ポリマーは、ジメチルアミノエチル（メタ）アクリレート、ジエチルアミノエチル（メタ）アクリレート、ジメチルアミノプロピル（メタ）アクリルアミド、ジエチルアミノエチル（メタ）アクリルアミド、２−ｔｅｒｔ−ブチルアミノエチル（メタ）アクリレート、またはジメチルアミノネオペンチル（メタ）アクリレートなどのモノマーを含むアミンもまた任意に含んでもよい。
【０１３４】
好ましくは、両性ターポリマーは、上記のモノマー単位ｉ）、ｉｉ）、およびｉｉ）、ならびに任意に、架橋剤から実質的に形成され、そして／または脂肪族アミン、脂肪族アミンオキシド、もしくは脂肪族四級物質で中和される。
【０１３５】
コンディショニング用ポリマーおよび脂肪族アミン、脂肪族アミンオキシドまたは脂肪族四級物質の重量比は、１：５〜５：１、好ましくは１：３〜３：１、最も好ましくは１：２〜１：５の範囲である。
【０１３６】
上記のモノマー単位ｉ）、ｉｉ）、およびｉｉ）、ならびに任意に、架橋剤から実質的に形成され、そして／または脂肪族アミン、脂肪族アミンオキシド、もしくは脂肪族四級物質で中和されるとは、ｉ）、ｉｉ）、およびｉｉｉ）に定義されたもの以外のさらなるモノマー、ならびに任意の剤がターポリマーを形成するために使用されてもよいが、典型的には、形成されるターポリマーの約２、３、４または５重量パーセントを超えないことを意味する。
【０１３７】
両性ターポリマーは、モノマー成分ｉ）、ｉｉ）、およびｉｉｉ）からなってもよく、ここで、形成されるターポリマーは、脂肪族アミン、脂肪族アミンオキシド、または脂肪族四級物質を用いて、任意に、少なくとも部分的に、中和または複合体形成され、さらに任意に、架橋剤を含む。
【０１３８】
両性コンディショニング用ターポリマーまたはこれらの混合物の平均分子量（Ｍｗ）は、例えば、約１０，０００〜約１８，０００，０００、約２５，０００〜約５，０００，０００、典型的には約３５，０００〜約１，８００，０００の範囲である。あるいは、Ｍｗは、約１５，０００〜約１，０００，０００または約１０，０００または約２０，０００〜約８００，０００で変動してもよい。例えば、より好ましくは、約１００，０００〜約１，０００，０００が想定される。
【０１３９】
両性ポリマーは、水溶性、水膨潤性、または水分散性のいずれかであってもよい。
【０１４０】
コンディショニング両性ポリマーは任意に架橋されてもよい。
【０１４１】
「架橋」とは、本明細書で使用される場合、一次化学結合によって鎖の特定の炭素原子を結合する元素、基、または化合物を含む、本明細書では「架橋剤」と呼ばれる橋によって結合された少なくとも２つの鎖の両性ポリマーをいう。あるいは、形成されたコンディショニング用ポリマーの鎖に取り込まれたピロリジン（ジアリルアミンから形成される）のアミンもまた、鎖が結合される部位であり得る。例えば、全体が参照により本明細書に組み込まれる米国特許第６，３２３，３０６号は、多官能架橋剤を使用するジアリルアミンとカチオン性コポリマーの架橋を教示している。
【０１４２】
「多官能」架橋剤は、少なくとも２つの二重結合；少なくとも二重結合および反応基；または少なくとも２つの反応基を有するモノマーを含んでもよい。
【０１４３】
適切な架橋剤には、多官能エポキシ化合物、ジハロアルキル化合物、ジイソシアネート化合物、および少なくとも２つの活性化オレフィン性二重結合を含む化合物が含まれるがこれらに限定されない。
【０１４４】
少なくともジオレフィン性の種類の例示的な架橋剤は、メチレンビスアクリルアミド；メチレンビスメタクリルアミド；１，３−ジアリルウレア、トリアリルウレア、テトラアリルウレア、Ｎ，Ｎ−ジアリルアクリルアミド、テトラアリルアンモニウムクロリド、テトラアリルアンモニウムサルフェート、テトラアリルアンモニウムメチルサルフェート、不飽和モノカルボン酸およびポリカルボン酸のポリオールとのエステル、ジアクリレートおよびトリアクリレート、ジメタクリレートおよびトリメタクリレート、ブタンジオールおよびエチレングリコールジアクリレートおよびメタクリレート、ジエチレングリコールジアクリレート、ポリ（エチレングリコール）ジアクリレート、ポリ（プロピレングリコール）ジアクリレートなど、トリメチロールプロパントリアクリレート（ＴＭＰＴＡ）およびトリメチロールプロパントリメタクリレート（ＴＭＰＴＭＡ）である。アリル（メタ）アクリレート、トリアリルシアヌレート、ジアリルマレエート、ポリアリルエステル、テトラアリルオキシエタン、トリアリルアミン、テトラアリルエチレンジアミン；リン酸のアリルエステル；および／またはビニルリン酸誘導体などのアリル化合物もまた考慮されてもよい。ＭＢＡは最も代表的な架橋剤である。
【０１４５】
多官能エポキシ化合物の例には、エピハロヒドリン、例えば、エピクロロヒドリン、エチレングリコールジグリシジルエーテル（ＥＧＤＥ）；ジグリシジルエーテル；１，２，３，４−ジエポキシブタン；１，２，５，６−ジエポキシヘキサン；ポリ（プロピレングリコール）ジグリシジルエーテル（ＰＰＧＤＥ）；１，４−ブタンジオールジグリシジルエーテル、３−ビス（グリシジルオキシ）メチル−１，２−プロパンジオール、ビスフェノールＡジグリシジルエーテル（ＢＡＤＧＥ）、ポリ（フェニルグリシジルエーテル−コ−ホルムアルデヒド）、グリセロールプロポキシレートトリグリシジルエーテル、Ｎ，Ｎ−ジグリシジル−４−グリシジルオキシアニリン、トリグリシジルイソシアヌレートなどが含まれる。
【０１４６】
ジハロアルキル化合物の例には、１，２−ジクロロエタン、１，２−ジブロモエタン、１，３−ジクロロプロパン、１，４−ジクロロ（ｄｉｃｈｌｏ）ブタン、１，６−ジクロロヘキサン、１，１０−ジクロロデカンなどが含まれる。好ましいジハロアルキル架橋剤は１，２−ジブロモエタンおよび１，２−ジクロロエタンである。
【０１４７】
ジイソシアネート化合物は、一級または二級アミノ基を含むベースポリマーのための架橋剤として使用できる。ジイソシアネート化合物の例は、イソホロンジイソシアネート（ＩＰＤＩ）、１、４−ジイソシアノブタン、ヘキサメチレンジイソシアネート（ＨＤＩ）、トルエンジイソシアネート（ＴＤＩ）などである。
【０１４８】
多官能架橋単位は、総モノマー含量の２０〜１０，０００ｐｐｍの範囲である量で両性ポリマーの形成の間に加えられてもよい。例えば、２０〜１０００ｐｐｍ、５０〜８００ｐｐｍ、または７５〜６００ｐｐｍが想定される。
【０１４９】
代表的な架橋剤はメチレンビスアクリルアミド（ＭＢＡ）；メチレンビスメタクリルアミドである。
【０１５０】
コポリマーの総質量に基づく、架橋コモノマーの重量画分は、重量で５％、３％、または２％を超えず、より典型的には、０．００００２〜２重量％、最も好ましくは０．００００２〜１重量％である。
【０１５１】
コンディショニング用ターポリマーの使用
新規な両性ターポリマーは、実質的に任意のパーソナルケア組成物において使用されてもよい。両性ポリマーは、毛髪、皮膚、および爪などのケラチン性物質上で使用されるパーソナルケア組成物においてとりわけ有用であることが見い出されてきた。シャンプー、コンディショナー、リンス、染色製品、漂白製品、整髪ローション、ブロー乾燥ローション、再整髪ローション、パーマおよびストレート用製品のような製品は、本発明の両性ポリマーを取り込んでもよい。
【０１５２】
この両性ポリマーを含むこれらのパーソナルケア組成物は、シャンプーおよびボディーウォッシュなどの個人用洗浄組成物であってもよい。
【０１５３】
例えば、コンディショニング用ターポリマーを含む洗浄組成物は、２イン１シャンプー、ボディーウォッシュ、洗顔料、泡風呂、ソープレスクレンザー、液体および固形石けん；シャワージェル、角質除去（ｘｆｏｌｉａｔｉｎｇ）シャワージェル；牛乳風呂；濡れタオル；風呂用発泡錠（例えば、泡風呂）；風呂／シャワージェルまたはシャワークリームであり、さらに、組成物の重量で、約５％〜約５０％、好ましくは約８％〜約３０％、最も好ましくは約１０％〜約２５％、およびとりわけ約１２％〜約１８％の洗浄性アニオン性界面活性剤を含んでもよい。
【０１５４】
特に関心対象のものは、コンディショニングシャンプーまたは２イン１シャンプーである。これらのシャンプーは、毛髪を洗浄するだけでなく、毛髪のコンディショニングもまた行う。従って、２イン１シャンプーは、これらが毛髪の洗浄後に第２のコンディショニング工程を必要としないという点で有利である。
【０１５５】
従って、好ましい実施形態は、洗浄組成物が２−イン−１シャンプーであり、さらに約５％〜約５０％の洗浄性アニオン性界面活性剤界面活性剤を含む、コンディショニング用ターポリマーを含む個人用洗浄組成物である。
【０１５６】
「ボディウォッシュ」は、身体に適用されるすべての洗浄ビヒクルを包含する。洗浄ビヒクルの例示的な型には、液体、固形、ジェル、フォーム、エアロゾル、またはポンプスプレー、クリーム、ローション、スティック、粉末、またはパッチもしくはタオルへの取り込みが含まれるがこれらに限定されない。加えて、ソープレスクレンザーが同様に使用されてもよい。ボディーウォッシュは、任意の適切な製品型に製造できる。従って、本明細書で使用される場合、「ボディーウォッシュ」には、液体および固形を含む石けん；シャワージェル、角質除去（ｘｆｏｌｉａｔｉｎｇ）シャワージェルを含む；泡風呂製品（例えば、ジェル、石けん、またはローション）；牛乳風呂；ジェルクレンザー、液体クレンザー、および固形洗浄剤を含む；濡れタオル；風呂用発泡錠（例えば、泡風呂）；風呂／シャワージェル；シャワークリームが含まれるがこれらに限定されない。
【０１５７】
両性ポリマーを取り込んでいるこれらのパーソナルケア組成物は、ハンドローション、ボディーローション、ボディースプレー、ミストまたはジェル、ヘアコンディショニングリンス、シェービングクリーム、アフターシェーブ、アフターシェーブ保湿剤、脱毛クリーム、シェービング製品、例えば、シェービングクリーム、ジェル、フォームまたはソープ、アフターシェーブ、アフターシェーブ保湿剤、手および爪用クリーム、およびこれらの組み合わせ、ならびに、皮膚および毛髪を含む身体への洗浄後の適用のために使用される任意の他の組成物などのケラチンコンディショニング組成物であってもよい。
【０１５８】
従って、パーソナルケア組成物は、ハンドローション、ボディーローション、ボディースプレー、ミストまたはジェル、ヘアコンディショニングリンス、シェービングクリーム、ジェル、フォームまたはソープ、アフターシェーブ、アフターシェーブ保湿剤、手および爪用クリームまたは脱毛クリームである。
【０１５９】
上記に暗示されるように、パーソナルケア製品は、クリーム、軟膏、ペースト、フォーム、ジェル、ローション、粉末、化粧品、スプレー、スティック、またはエアロゾルなどの任意の型であり得る。
【０１６０】
クリームは５０％より多くの水を含む水中油型エマルジョンである。そこで使用されるオイル含有ベースは、通常、主として脂肪族アルコール、例えば、ラウリル、セチルまたはステアリルアルコール、脂肪酸、例えば、パルミチン酸またはステアリン酸、液体から固体までのワックス、例えば、イソプロピル−ミリステートまたは蜜ろう、および／または炭化水素化合物、例えば、パラフィンオイルである。適切な乳化剤は、主に親水性特性を有する界面活性剤、例えば、対応する非イオン系乳化剤、例えば、エチレンオキシド付加物の多価アルコールの脂肪酸エステル、例えば、ポリグリセロール脂肪酸エステルまたはポリオキシエチレンソルビタン脂肪酸エーテル（Ｔｗｅｅｎ  商標）；ポリオキシエチレン脂肪族アルコールエーテルまたはそれらのエステルまたは対応するイオン性乳化剤、例えば、脂肪族アルコールスルホネートのアルカリ金属塩、セチル硫酸ナトリウムまたはステアリル硫酸ナトリウム、であり、これらは、通常は、セチルアルコールまたはステアリルアルコールなどの脂肪族アルコールと一緒に使用される。加えて、クリームは、蒸発の間に水を減少する剤、例えば、グリセロール、ソルビトール、プロピレングリコール、および／またはポリエチレングリコールなどの多価アルコールを含む。
【０１６１】
軟膏は７０％まで、好ましくは、２０〜５０％を超えない水または水相を含む油中水型エマルジョンである。油含有層は、パラフィン油および／または固形パラフィンなどの炭化水素を優勢に含み、これらは、好ましくは、水吸収を改善するためのヒドロキシ化合物、例えば、脂肪族アルコールまたはそれらのエステル、例えば、セチルアルコールまたは羊毛脂を含む。乳化剤は、対応する親油性物質、例えば、ソルビタン脂肪酸エステルである。加えて、これらの軟膏は、多価アルコールなどの保湿剤、例えば、グリセロール、プロピレングリコール、ソルビトール、および／またはポリエチレングリコール、ならびに保存剤を含む。
【０１６２】
豊かなクリームは無水製剤であり、パラフィン、天然もしくは部分的に合成の脂質、例えば、ココナッツ脂肪酸トリグリセリド、または好ましくは硬化油およびグリセロール部分脂肪酸エステルなどの炭化水素化合物に基づいて製造される。
【０１６３】
ペーストは、分泌物を吸収する粉末成分、例えば、二酸化チタンまたは酸化亜鉛などの金属酸化物、ならびにまた、獣脂および／または湿気もしくは吸収された分泌物を結合するケイ酸アルミニウムを含むクリームおよび軟膏である。
【０１６４】
フォームは、エアロゾル型である液体の水中油型エマルジョンである。炭化水素化合物が使用され、とりわけ、油含有層については、例えば、パラフィン油、脂肪族アルコール、例えば、セチルアルコール、脂肪酸エステル、例えば、イソプロピルミリステート、および／またはワックスである。適切な乳化剤は、とりわけ、優勢的に親水性特性を有する乳化剤、例えば、ポリオキシエチレンソルビタン脂肪酸エステル、およびまた、優勢的に親油性特性を有する乳化剤、例えば、ソルビタン脂肪酸エステルの混合物である。市販の添加物、例えば、保存剤が、通常、付加的に使用される。
【０１６５】
ジェルは、特に、ジェル形成剤が分散または膨潤される活性物質の水溶液または懸濁液であり、特に、メチルセルロース、ヒドロキシエチルセルロース、カルボキシメチルセルロースなどのセルロースエーテル、または植物性ハイドロコロイド、例えば、アルギン酸ナトリウム、トラガカント、もしくはアラビアガムである。これらのジェルは、好ましくは、保湿剤としてのプロピレングリコールまたはグリセロールなとの多価アルコール、およびポリオキシエチレンソルビタン脂肪酸エステルなどの湿潤剤もまたさらに含む。さらに、これらのジェルは、ベンジルアルコール、フェネチルアルコール、フェノキシエタノールなどの市販の保存剤を含む。
【０１６６】
上記に議論したように、本発明者らは、両性ポリマーが、シリコーン沈着剤として非常に良好な性能を発揮することを発見した。すなわち、シリコーンを含むシャンプーまたはボディーウォッシュの中に組み合わされるとき、この両性ポリマーは、毛髪および皮膚などのケラチン性表面へのシリコーンの沈着を効果的に補助し、従って、コンディショニング効果を高める。
【０１６７】
本発明のターポリマーは、上述のような希釈に際して、ターポリマー／シリコーン凝集物またはコアセルベート／任意の有利な剤（脂肪族アミン、脂肪族アミンオキシドまたは四級物質アミン、油状成分、脂肪酸、シリコーン、またはこれらの混合物など）を形成してもよく、従って、コンディショニングの利益が所望される皮膚または毛髪に、この凝集物を物理的に沈着させる。
【０１６８】
本発明の両性ポリマーは、全体のパーソナルケアまたは個人用洗浄組成物の約０．０５〜約５、約０．１〜約３、約０．１〜約０．７５、約０．１〜約０．５重量パーセントの個人用洗浄組成物またはパーソナルケア組成物の中で使用されてもよい。
【０１６９】
コンディショニング剤
脂肪族アミン、脂肪族アミンオキシド、および四級物質アミンに加えて、他のコンディショニング剤は、本発明のターポリマーと組み合わせられてもよい。例えば、本発明において有用なコンディショニング剤には、シリコーン、油状または脂肪族材料、炭化水素、脂肪族エステル、シリコーン、およびカチオン性脂肪族材料、例えば、脂肪族アミン、脂肪オキシド、上記に示唆された脂肪族四級物質が含まれる。
【０１７０】
シリコーン
最も一般的に使用されているコンディショニング剤はシリコーンである。本発明の両性ポリマーは、実質的に任意のシリコーンとのシリコーン沈着補助剤として有効である。個人用洗浄またはパーソナルケア組成物における使用のための適切である最も一般的に使用されるシリコーンは、典型的には、そのもともとの型、または有機溶媒中で溶液の型、あるいはエマルジョンもしくはマイクロエマルジョンの型である、修飾または被修飾ポリオルガノシロキサン、すなわち、ポリオルガノシロキサンオイルまたはポリオルガノシロキサンガムまたは樹脂である。
【０１７１】
本発明に従って使用されてもよいポリオルガノシロキサンの中には、非限定的に、以下に対する言及がなされてもよい。
【０１７２】
Ｉ．揮発性シリコーン：これらは６０Ｃから２６０Ｃの間の沸点を有する。これらは、３〜７個、好ましくは４〜５個のケイ素原子を含む環状シリコーンから選択される。これらの例は、Ｕｎｉｏｎ  Ｃａｒｂｉｄｅによって商品名「ＶＯＬＡＴＩＬＥ  ＳＩＬＩＣＯＮＥ  ７２０７」でまたはＲｈｏｎｅ−ＰｏｕｌｅｎｃによってＳＩＬＢＩＯＮＥ  ７００４５  Ｖ２で販売されているオクタメチルシクロテトラシロキサン、Ｕｎｉｏｎ  Ｃａｒｂｉｄｅによって商品名ＶＯＬＡＴＩＬＥ  ＳＩＬＩＣＯＮＥ  ７１５８１１で、Ｒｈｏｎｅ−ＰｏｕｌｅｎｃによってＳＩＬＢＩＯＮＥ  ７００４５  Ｖ５で販売されているデカメチルシクロペンタシロキサン、ならびにこれらの混合物である。ジメチルシロキサン／メチルアルキルシロキサンなどのシクロコポリマー、例えば、Ｕｎｉｏｎ  Ｃａｒｂｉｄｅ社から販売されているＶＯＬＡＴＩＬＥ  ＳＩＬＩＣＯＮＥ  ＦＺ３１０９にもまた言及がなされ、これは、ジメチルシロキサン／メチルオクチルシロキサンシクロコポリマーである。
【０１７３】
ＩＩ．不揮発性シリコーン：これらは主として以下からなる。
【０１７４】
（ｉ）ポリアルキルシロキサン；主として言及されてもよいポリアルキルシロキサンの中には、トリメチルシリル末端基、例えば、および非限定的な様式で、Ｒｈｏｄｉａ  Ｃｈｉｍｉｅによって販売されている７００４７シリーズのＳＩＬＢＩＯＮＥオイル；Ｄｏｗ  ＣｏｒｎｉｎｇからのＤＣ２００オイルおよびＤＣ−１６６４などのシリコーンエマルジョン、およびヒドロキシジメチルシリル末端基を含むＰＤＭＳなどを含む、直鎖状ポリジメチルシロキサンがある；
（ｉｉ）ポリアリールシロキサン；
（ｉｉｉ）ポリアルキルアリールシロキサン；直鎖状および分枝状ポリメチルフェニルシロキサン、ポリジメチルメチルフェニルシロキサン、およびポリジメチルジフェニルシロキサン、例えば、Ｒｈｏｄｉａ  ＣｈｉｍｉｅからのオイルＲＨＯＤＯＲＳＩＬ  ７６３１１に言及がなされ得る；
（ｉｖ）シリコーンガム；これらは、２００，０００から５，０００，０００の間の分子量を有するポリジオルガノシロキサンであって、これらは、揮発性シリコーン、ポリジメチルシロキサン（ＰＤＭＳ）オイル、ポリフェニルメチルシロキサン（ＰＰＭＳ）オイル、イソパラフィン、メチレンクロリド、ペンタン、ドデカン、トリデカン、テトラデカンまたはこれらの混合物から選択される溶媒中で、単独でまたは混合物として使用され；例えば、以下の化合物に言及がなされる。
ポリジメチルシロキサン、
ポリ［（ジメチルシロキサン）／（メチルビニルシロキサン）］、
ポリ［（ジメチルシロキサン）／（ジフェニルシロキサン）］、
ポリ［（ジメチルシロキサン）／（フェニルメチルシロキサン）］、
ポリ［（ジメチルシロキサン）／（ジフェニルシロキサン）／（メチルビニルシロキサン）］；
例えば、非限定的な様式で、以下の混合物に言及がなされ得る：
１）鎖の末端がヒドロキシル化されているポリジメチルシロキサン（ＣＴＦＡ命名法に従うとジメチコノール）および環状ポリジメチルシロキサン（ＣＴＦＡ命名法に従うとシクロメチコン）から形成される混合物、例えば、Ｄｏｗ  Ｃｏｒｎｉｎｇ社から販売されている製品Ｑ２  １４０１；
２）Ｇｅｎｅｒａｌ  Ｅｌｅｃｔｒｉｃからの製品ＳＦ  １２１４  シリコーン液などの環状シリコーンとともにポリジメチルシロキサンガムから形成された混合物、これは、分子量＝５００，０００のＳＥ  ３０ガムであり、ＳＦ  １２０２シリコーン液（デカメチルシクロペンタシロキサン）に溶解されている；
３）異なる粘度の２種のＰＤＭＳ、特に、ＰＤＭＳガムおよびＰＤＭＳオイルの混合物、例えば、Ｇｅｎｅｒａｌ  Ｅｌｅｃｔｒｉｃからの製品ＳＦ  １２３６およびＣＦ  １２４１；
（ｖ）シリコーン樹脂；好ましくは、Ｒが１〜６個の炭素原子を含む炭化水素基またはフェニル基を表す、Ｒ２ＳｉＯ２／２、ＲＳｉＯ３／２、およびＳｉ４／２単位を含む架橋シロキサン系。これらの樹脂の中で、商品名Ｄｏｗ  Ｃｏｒｎｉｎｇ  ５９３で販売されている製品に言及されてもよい；
（ｖｉ）オルガノ修飾ポリオルガノシロキサン；すなわち、シロキサン鎖に直接連結されているかまたは炭化水素ベースの基を介して連結されている１つ以上のオルガノ官能基をそれらの一般構造中に含む、上記のようなシリコーン；例えば、以下のようなシリコーンが言及される：
ａ）アルキル基を任意に含む、ポリエチレンオキシおよび／またはポリプロピレンオキシ基、例えば、Ｄｏｗ  Ｃｏｒｎｉｎｇ社によって、ＤＣ  １２４８の商品名で販売されているジメチコンコポリオール、およびＤｏｗ  Ｃｏｒｎｉｎｇ社によって、Ｑ２  ５２００の商品名で販売されているアルキル（Ｃ１２）メチコンコポリオールとして知られている製品；
ｂ）トリフルオロアルキル基などの（パー）フルオロ基、例えば、Ｇｅｎｅｒａｌ  Ｅｌｅｃｔｒｉｃ社によってＦＦ．１５０  ＦＬＵＯＲＯＳＩＬＩＣＯＮＥ  ＦＬＵＩＤの商品名で販売されているもの；
ｃ）ヒドロキシアシルアミノ基、例えば、欧州特許出願ＥＰ−Ａ−０  ３４２  ８３４に記載されているもの、特に、Ｄｏｗ  Ｃｏｒｎｉｎｇ社によってＱ２−８４１３の商品名で販売されているシリコーン；
ｄ）チオール基、例えば、Ｄｏｗ  ＣｏｒｎｉｎｇからのシリコーンＸ  ２−８３６またはＧｅｎｅｓｅｅからのシリコーンＧＰ  ７２ＡおよびＧＰ  ７１；
ｅ）置換または非置換アミン基、例えば、Ｇｅｎｅｓｅｅ社によってＧＰ  ４  シリコーン  ＦｌｕｉｄおよびＧＰ  ７１００の商品名で販売されている製品、またはＤｏｗ  Ｃｏｒｎｉｎｇ社によってＱ２  ８２２０およびＤｏｗ  Ｃｏｒｎｉｎｇ  ９２９または９３９の商品名で販売されている製品。置換アミン基は、特に、Ｃ１−Ｃ４アミノアルキルまたはアミノ（Ｃ１−Ｃ４）アルキルアミノ（Ｃ１−Ｃ４）アルキル基である。ＣＴＦＡ名（１９９７）に従ってアモジメチコンおよびトリメチルシリルアモジメチコンとして知られるシリコーンは、より特定に使用される；
ｆ）  カルボキシレート基、例えば、Ｃｈｉｓｓｏ  Ｃｏｒｐｏｒａｔｉｏｎからの欧州特許ＥＰ  １８６  ５０７に記載されている製品；
ｇ）ヒドロキシル基、例えば、特許出願ＦＲ−Ａ−２  ５８９  ４７６に記載される、ヒドロキシアルキル官能基を含むポリオルガノシロキサン；
ｈ）少なくとも１２個の炭素原子を含むアルコキシ基、例えば、ＳＷＳ  Ｓｉｌｉｃｏｎｅｓからの製品ＳＩＬＩＣＯＮＥ  ＣＯＰＯＬＹＭＥＲ  Ｆ  ７５５；
ｉ）少なくとも１２個の炭素原子を含むアシルオキシアルキル基、例えば、特許出願ＦＲ−Ａ−２  ６４１  １８５に記載されているポリオルガノシロキサン；
ｊ）四級アンモニウム基、例えば、Ｇｏｌｄｓｃｈｍｉｄｔ社からの製品ＡＢＩＬ  Ｋ  ３２７０１におけるもの；
ｋ）両性またはベタイン基、例えば、Ｇｏｌｄｓｃｈｍｉｄｔ社によって、商品名ＡＢＩＬ  Ｂ  ９９５０で販売されている製品におけるもの；
ｌ）ビスルファイト基、例えば、Ｇｏｌｄｓｃｈｍｉｄｔ社によって、商品名ＡＢＩＬ  Ｓ  ２０１およびＡＢＩＬ  Ｓ  ２５５で販売されている製品におけるもの；
（ｖｉｉ）反復単位として直鎖ポリシロキサン−ポリアルキレンブロックを含むブロックコポリマー；本発明の状況において使用されるこのようなブロックコポリマーの調製は、欧州特許出願ＥＰ  ０  ４９２  ６５７  Ａ１に記載されており、その教示は、本説明における引用によって取り込まれ；
（ｖｉｉｉ）非シリコーン有機骨格を含み、シリコーンを含まない有機モノマーから形成される有機主鎖からなり、そこに、主鎖中において、ならびに任意に、少なくとも１つのその末端上に、少なくとも１つのポリシロキサンマクロモノマーがグラフトされる、グラフトシリコーンポリマー；特に、米国特許第４  ９６３  ９３５号、同第４  ７２８  ５７１号、および同第４  ９７２  ０３７号、ならびに特許出願ＥＰ−Ａ−０  ４１２  ７０４、ＥＰ−Ａ−０  ４１２  ７０７、ＥＰ−Ａ−０  ６４０  １０５およびＷＯ  ９５／００５７８から好ましく選択されるもの、これらの教示は、非限定的な引用によって、本説明の中に全体が組み込まれ；
（ｉｘ）非シリコーン有機モノマーでグラフトしたポリシロキサン骨格を含み、ポリシロキサン主鎖を含有し、そこに、上記鎖の中に、ならびに、任意に、少なくともその末端の一方に、シリコーンを含まない少なくとも１つの有機マクロモノマーがグラフトされる、グラフトシリコーンポリマー；このようなポリマーの例、およびこれらを調製するための特定の方法は、特に、特許出願ＥＰ−Ａ−０  ５８２  １５２、ＷＯ  ９３／２３００９、およびＷＯ  ９５／０３７７６に記載されており、その教示は、非限定的な引用によって、本説明の中に全体が組み込まれ；
（ｘ）またはこれらの混合物。
【０１７５】
本発明に従って好ましく使用されるポリオルガノシロキサンは、不揮発性ポリオルガノポリシロキサンであり、好ましくは、任意にアミン化、アリール化、またはアルキルアリール化されているポリジメチルシロキサンオイルまたはガムである。
【０１７６】
参照により全体が本明細書に組み込まれる、同時係属米国出願番号第１２／２８６，２６０号は修飾シリコーンを記載している。本発明の両性ターポリマーは、パーソナルケア組成物における有効な沈着補助剤としての、そこに教示されるシリコーン誘導体と組み合わせて使用されてもよい。
【０１７７】
ポリオルガノシロキサンは、組成物の総重量に対して、０．０１重量％から２０重量％の間、好ましくは０．１から１０重量％の間の割合で、本発明の組成物中で使用される。
【０１７８】
非シリコーンコンディショニング剤
本発明に従う組成物は、分散性、不揮発性、水不溶性油性の非シリコーンコンディショニング剤を含んでもよい。
適切な油性または脂肪族材料は、炭化水素油、脂肪族エステル、およびそれらの混合物から選択される。
【０１７９】
直鎖炭化水素オイルは、例えば、約１２〜約３０個の炭素原子を含んでもよい。分枝鎖炭化水素オイルもまた適切であり、好ましくは、約１２〜約４２個の炭素原子を含む。Ｃ2−Ｃ6アルケニルモノマーなどのアルケニルモノマーのポリマー性炭化水素もまた適切である。
【０１８０】
適切な炭化水素オイルの特定の例には、パラフィンオイル、ミネラルオイル、飽和および不飽和ドデカン、飽和および不飽和トリデカン、飽和および不飽和テトラデカン、飽和および不飽和ペンタデカン、飽和および不飽和ヘキサデカン、ならびにこれらの混合物が含まれる。これらの化合物の分枝鎖異性体、ならびにより長い鎖長の炭化水素もまた使用できる。別の適切な材料はポリイソブチレンである。
【０１８１】
適切な脂肪族エステルは、少なくとも１０個の炭素原子を有することによって特徴付けられ、脂肪酸またはアルコールから誘導されたヒドロカルビル鎖を有するエステルを含む。モノカルボン酸エステルは、Ｒ*およびＲが独立してアルキル基またはアルケニル基を示し、ＲfおよびＲにおける炭素原子の合計が少なくとも１０、好ましくは少なくとも２０である、化学式Ｒ1ＣＯＯＲのアルコールおよび／または酸のエステルを含む。カルボン酸のジアルキルおよびトリアルキルおよびアルケニルのエステルもまた使用できる。
【０１８２】
（エマルジョンまたは最終ヘアコンディショニング組成物ではなく）コンディショニングオイルそれ自体の粘度は、２５℃において３５０〜１０，０００，０００  ｍｒｒ＾ｓｅｃ-1である。
【０１８３】
油性または脂肪族性物質は、組成物の重量で０．０５〜２０のレベルで適切に存在し、好ましくは０．２〜１０、より好ましくは約０．５〜５重量パーセントである。
【０１８４】
保湿剤および湿潤剤  本発明の組成物は、１種以上の保湿剤および湿潤材料を含むことができる。種々のこれらの材料を利用することができ、各々は、約０．１％〜約２０％、より好ましくは約１％〜約１０％、最も好ましくは約２％〜約５％のレベルで存在することができる。これらの材料には、尿素；グアニジン；グリコール酸およびグリコール酸塩（例えば、アンモニウムおよび四級物質アルキルアンモニウム）；乳酸および乳酸塩（例えば、アンモニウムおよび四級物質アルキルアンモニウム）；様々な型のアロエベラ（例えば、アロエベラジェル）；ポリヒドロキシアルコール、例えば、ソルビトールグリセロール、ヘキサントリオール、プロピレングリコール、ブチレングリコール、ヘキシレングリコールなど；ポリエチレングリコール；糖類およびデンプン類；糖類およびデンプン誘導体（例えば、アルコキシル化グルコース）；ヒアルロン酸；ラクトアミドモノエタノールアミン；アセトアミドモノエタノールアミン；およびこれらの混合物が含まれる。好ましい保湿剤および湿潤剤は、グリセロール、ブチレングリコール、ヘキシレングリコール、およびこれらの混合物である。
【０１８５】
洗浄性界面活性剤
本発明のこれらの両性ポリマーは、シャンプーまたは個人用洗浄製品において使用されるものなどの洗浄性アニオン性界面活性剤と特に適合可能であり、一般的には、上記のコンディショニング特性の損失を伴うことはないが、カチオン性、非イオン性、双性イオン性、または両性界面活性剤と適合性である、透明製剤を提供する。
【０１８６】
本発明のシャンプー組成物における使用のための適切なアニオン性洗浄性界面活性剤成分は、ヘアケアまたは他のパーソナルケア洗浄組成物における使用のために公知である。シャンプー組成物中のアニオン性洗浄性界面活性剤成分の濃度は、所望の洗浄および泡立ちの性能を提供するために十分であるべきであり、一般的には、例えば、組成物の重量で約５％〜約５０％、約８％〜約３０％、約１０％〜約２５％、および約１２％〜約１８％の範囲にある。
【０１８７】
シャンプー組成物における使用のために適切な好ましいアニオン性界面活性剤は、アルキルおよびアルキルエーテルサルフェートである。これらの材料は、それぞれの化学式ＲＯＳＯ3ＭおよびＲＯ（Ｃ2Ｈ4Ｏ）xＳＯ3−Ｍを有し、ここで、Ｒは、約８〜約１８個の炭素原子のアルキルまたはアルケニルであり、ｘは１〜１０の値を有する整数であり、Ｍは、アンモニウムなどのカチオン、トリエタノールアミンなどのアルカノールアミン、ナトリウムおよびカリウムなどの一価金属、ならびにマグネシウムおよびカルシウムなどの多価金属カチオンである。
【０１８８】
Ｒは、典型的には、アルキルサルフェートとアルキルエーテルサルフェートの両方において、約８〜約１８個の炭素原子、約１０〜約１６個の炭素原子、約１２〜約１４個の炭素原子を有する。典型的には、アルキルエーテルサルフェートは、エチレンオキシドおよび約８〜約２４個の炭素原子を有する一価アルコールの縮合生成物として作製される。アルコールは合成であり得、またはこれらは脂質、例えば、ココナッツオイル、パーム核油、獣脂から誘導できる。ココナッツオイルまたはパーム核油から誘導されたラウリルアルコールおよび直鎖アルコールが好ましい。このようなアルコールは、約０から約１０の間、約２〜約５、約３のエチレンオキシドのモル濃度比率で反応され、得られる分子種の混合物、例えば、アルコールのモルあたり３モルのエチレンオキシドが、硫酸化され、中和される。
【０１８９】
他の適切なアニオン性洗浄性界面活性剤は、化学式［Ｒ1−−ＳＯ3−−Ｍ］に従う有機、硫酸反応生成物の水溶性塩であり、ここで、Ｒ1は、約８〜約２４、約１０〜約１８の炭素原子を有する、直鎖または分枝鎖、飽和、脂肪族炭化水素であり；Ｍは本明細書で前に記載したカチオンである。
【０１９０】
さらに他の適切なアニオン性洗浄性界面活性剤は、イセチオン酸でエステル化し、水酸化ナトリウムで中和した脂肪酸の反応生成物であり、ここで、例えば、脂肪酸は、ココナッツオイルまたはパーム核油から誘導され；メチルタウリドの脂肪酸アミドのナトリウム塩またはカリウム塩であり、ここで、この脂肪酸は、例えば、ココナッツオイルまたはパーム核油から誘導される。
【０１９１】
個人用洗浄組成物における使用のための典型的な特定のアニオン性洗浄性界面活性剤には以下が含まれる：ラウリル硫酸アンモニウム、ラウセス硫酸アンモニウム、ラウリル硫酸トリエチルアミン、ラウレス硫酸トリエチルアミン、ラウリル硫酸トリエタノールアミン、ラウレス硫酸トリエタノールアミン、ラウリル硫酸モノエタノールアミン、ラウレス硫酸モノエタノールアミン、ラウリル硫酸ジエタノールアミン、ラウレス硫酸ジエタノールアミン、ラウリン酸モノグリセリドナトリウム硫酸、ラウリル硫酸ナトリウム、ラウレス硫酸ナトリウム、ラウリル硫酸カリウム、ラウレス硫酸カリウム、ラウリルサルコシン酸ナトリウム、ラウロイルサルコシン酸ナトリウム、ラウリルサルコシン、ココイルサルコシン、ココイル硫酸アンモニウム、ラウロイル硫酸アンモニウム、ココイル硫酸ナトリウム、ラウロイル硫酸ナトリウム、ココイル硫酸カリウム、ラウリル硫酸カリウム、ラウリル硫酸トリエタノールアミン、ラウリル硫酸トリエタノールアミン、ココイル硫酸モノエタノールアミン、ラウリル硫酸モノエタノールアミン、トリデシルベンゼンスルホネートナトリウム、ドデシルベンゼンスルホン酸ナトリウム、およびこれらの組み合わせ。
【０１９２】
適切な両性または双性イオン性洗浄性界面活性剤は、個人用洗浄組成物において使用されてもよく、本発明においては、ヘアケアまたはスキンケア洗浄組成物における使用のために知られており、化粧品（シャンプーなど）組成物のｐＨにおいてアニオン性である基を含むものが含まれる。このような両性洗浄性界面活性剤の濃度は、例えば、組成物の重量の約０．５％〜約２０％、約１％〜約１０％の範囲である。
【０１９３】
個人用洗浄組成物における使用のための適切な両性洗浄性界面活性剤は、当該分野において周知であり、脂肪族基が直鎖または分枝鎖であり得、１つの脂肪族置換基が約８〜約１８個の炭素原子を含み、１つがカルボキシ、スルホネート、サルフェート、ホスフェート、またはホスホネートなどのアニオン性水溶性基を含む脂肪族二級および三級アミンの誘導体として広範に記載されているものが含まれる。
【０１９４】
個人用洗浄組成物における使用のために適切な双性イオン性洗浄性界面活性剤は当該分野において周知であり、脂肪族四級アンモニウム、ホスホニウム、およびスルホニウム化合物の誘導体として広範に記載されている界面活性剤を含み、ここで、この脂肪族基は、直鎖または分枝鎖であり得、脂肪族置換基の１つが約８〜約１８個の炭素原子を含み、１つがカルボキシ、スルホネート、サルフェート、ホスフェート、またはホスホネートなどのアニオン性基を含む。ベタインなどの双性イオン性物質もまた想定される。
【０１９５】
本発明の個人用洗浄組成物は、本明細書で前に記載されたアニオン性洗浄剤界面活性剤成分と組み合わせた使用のためのさらなる界面活性剤をさらに含む。適切な任意の界面活性剤には、非イオン性界面活性剤、カチオン性界面活性剤、およびこれらの組み合わせが含まれる。任意のさらなる界面活性剤もまた、個人用洗浄組成物の必須成分と化学的にかつ物理学的に適合可能であり、またはさもなくば、製品の性能、美学、もしくは安定性を過度に損なわないという条件で、ヘアケアまたはパーソナルケア用製品における使用のための当該分野で公知の任意のこのような界面活性剤は使用されてもよい。個人用洗浄組成物における任意のさらなる界面活性剤の濃度は、所望される洗浄または泡立ち性能、選択される任意の界面活性剤、所望の製品濃度、組成物中の他の成分の存在、および当該分野において周知の他の因子に伴って変動されてもよい。
【０１９６】
個人用洗浄またはシャンプー組成物における使用のための他のアニオン性、双性イオン性、両性、または任意のさらなる界面活性剤の非限定的な例は、Ｍ．Ｃ．Ｐｕｂｌｉｓｈｉｎｇ  Ｃｏ．によって出版されたＭｃＣｕｔｃｈｅｏｎ’ｓ、Ｅｍｕｌｓｉｆｉｅｒｓ  ａｎｄ  Ｄｅｔｅｒｇｅｎｔｓ、１９８９年報に記載されており、その記載は参照により本明細書に組み込まれる。
【０１９７】
本発明のとりわけ好ましい実施形態は、コンディショニング用ポリマーを含む個人用洗浄またはパーソナルケア組成物であり、このコンディショニング用ポリマーは、化粧品的に受容可能なビヒクルに分散または可溶化され、そしてアニオン性、両性、非イオン性、および双性イオン性界面活性剤から選択される少なくとも１種の界面活性剤を任意にさらに含む。
【０１９８】
さらにより好ましい実施形態は、個人用洗浄またはパーソナルケア組成物であり、ここで、コンディショニング用ポリマーを含む個人用洗浄組成物はシャンプーまたはボディーウォッシュであり、このパーソナルケア組成物は、皮膚および毛髪を含む身体に適用される任意のパーソナルケア組成物である。
【０１９９】
特別に関心対象である個人用洗浄組成物は、２イン１シャンプー、ボディーウォッシュ、洗顔料、泡風呂、ソープレスクレンザー、液体および固形石けん；シャワージェル、角質除去（ｘｆｏｌｉａｔｉｎｇ）シャワージェル；牛乳風呂；濡れタオル；風呂用発泡錠（例えば、泡風呂）；風呂／シャワージェルまたはシャワークリームであり、好ましくは、上記洗浄組成物が２イン１シャンプーであり、上記個人用洗浄組成物がさらに任意に、組成物の重量で、５％〜５０％、好ましくは８％〜３０％、最も好ましくは１０％〜２５％、およびとりわけ１２％〜１８％の洗浄性アニオン性界面活性剤を任意にさらに含む。
【０２００】
有益な剤
有益な剤は、本発明のターポリマーと組み合わされてもよく、そして、炭化水素オイル、脂肪族エステル、シリコーン、脂肪族アミン、脂肪族アミンオキシド、および脂肪族四級物質などのコンディショニング剤を任意に含む。さらなる可能な有益な剤は、日焼け防止剤、ふけ防止剤、タンパク質、ミネラル、ハーブ抽出物、シラミ駆除剤、ビタミン、およびＵＶ吸収剤などの成分もまた含んでもよい。
【０２０１】
任意の成分
さらに、懸濁剤、粘度調整剤、染料、不揮発性溶媒または希釈剤（水溶性および水不溶性）、真珠光沢補助剤、フォームブースター、さらなる界面活性剤または非イオン性補助界面活性剤、ｐＨ調整剤、芳香剤、保存剤、キレート剤（ｃｈｅｌａｎｔｓ）、皮膚活性剤、ミネラル、ハーブ／フルーツ／食品抽出物、スフィンゴ脂質誘導体または合成誘導体、およびクレイを含むことはパーソナルケア調製物にとっては一般的である。
【０２０２】
カチオン性ポリマーはピリジンチオン塩などのふけ防止剤の沈着のための補助剤として周知であるので、ふけ防止剤は特に関心対象のものである。例えば、米国出願公開第２００８／０２０６３５５号は、ピリチオンと組み合わせたカチオン性ホモポリマーを教示している。従って、本発明の組成物は、ふけ防止剤もまた含んでもよい。
【０２０３】
ふけ防止用微粒子の適切で非限定的な例には：ピリジンチオン塩、アゾール、硫化セレン、微粒子硫黄、およびこれらの組み合わせが含まれる。ピリジンチオン塩が好ましい。このようなふけ防止用微粒子は、組成物の必須成分と物理的および化学的に適合可能であるべきであり、他の点では、製品の安定性、美学、または性能を過度に損なわないべきである。
【０２０４】
ピリジンチオンふけ防止用微粒子、とりわけ、１−ヒドロキシ−２−ピリジンチオン塩は、本発明の組成物における使用のために高度に好ましい微粒子ふけ防止剤である。ピリジンチオン微粒子ふけ防止剤の濃度は、典型的には、組成物の重量で約０．１％〜約４％、好ましくは約０．１％〜約３％、より好ましくは約０．３％〜約２％である。好ましいピリジンチオン塩には、亜鉛、スズ、カドミウム、マグネシウム、アルミニウム、およびジルコニウムなどの重金属から形成されたもの、好ましくは亜鉛、より好ましくは、１−ヒドロキシ−２−ピリジンチオンの亜鉛塩（「ジンクピリジンチオン」または「ＺＰＴ」として知られている）、より好ましくは、血小板粒子型の１−ヒドロキシ−２−ピリジンチオン塩が含まれ、ここで、これらの粒子は、約２０ミクロンまで、好ましくは約５ミクロンまで、より好ましくは約２．５ミクロンまでの平均サイズを有する。ナトリウムなどの他のカチオンから形成された塩もまた適切であり得る。
【０２０５】
本発明のターポリマーを含むパーソナルケアまたは個人用洗浄組成物は、さらなるポリマーをさらに加えてもよい。このさらなるポリマーは、例えば、以下であり得る：
−約１，０００，０００〜約３０，０００，０００、約２，０００，０００〜約８，０００，０００、または約２，０００，０００〜約５，０００，０００の範囲の分子量のポリアクリルアミドのホモポリマー
−本発明のターポリマーとは異なるカチオン性コポリマー。例えば、このカチオン性コポリマーは、（メタ）アクリロイルオキシエチル−Ｎ，Ｎ，Ｎ−トリメチルアンモニウムクロリド、−（メタ）アクリロイルオキシエチル−Ｎ−エチル−Ｎ，Ｎ−ジメチルアンモニウムモノエチルサルフェート、（メタ）アクリロイルオキシエチル−Ｎ，Ｎ，Ｎ−トリエチルアンモニウムモノエチルサルフェート、−（メタ）アクリロイルアミノプロピル−Ｎ，Ｎ，Ｎ−トリメチルアンモニウムクロリド、（メタ）アクリロイルアミノプロピル−Ｎ−エチル−Ｎ，Ｎ−ジメチルアンモニウムモノエチルサルフェート、（メタ）アクリロイルアミノプロピル−Ｎ，Ｎ−ジエチル−Ｎ−メチルアンモニウムクロリド、または（メタ）アクリロイルアミノプロピル−Ｎ，Ｎ−ジエチル−Ｎ−メチルアンモニウムモノメチルサルフェート、またはこれらの混合物などのアクリルアミドおよびカチオン性モノマーのコポリマーであってもよい。
【０２０６】
第２のカチオン性コポリマーは、典型的には、コポリマーの総重量に基づいて、０．１〜約２５重量パーセント、４〜約２０または約５または約２０重量パーセントのカチオン性モノマーを含む。
【０２０７】
ターポリマーの調製
両性コンディショニング用ポリマーは、慣用的な様式で、例えば、塊状または溶液重合によって調製できる。この重合は、水性、溶媒、または水性溶媒混合環境において行ってもよいが、しかし、反応は、実質的に水性環境で実行されることが好ましい。可能な溶媒は、ＤＭＳＯ、ＴＨＦ、ＤＭＦ、エチル、プロピル、ブチル、酢酸、ベンゼン、トルエン、キシレン、Ｎ−ブタノール、イソブタノール、イソプロパノール、ＭＥＫ、ＭＩＢＫ、アセトンなどである。
【０２０８】
酸素の非存在下で重合を実行することが好ましい。
【０２０９】
モノマーは、任意に、酸化還元系の存在下で、過酸化物の付加によって、ラジカル反応を使用して重合されることが好ましい。過硫酸アンモニウムなどの開始剤は高度に水溶性であるので、この開始剤が理想的である。
【０２１０】
コンディショニング用ポリマーの重合の回数は、温度および所望の最終産物の特性に依存するが、好ましくは、約５０℃〜約１９０℃の範囲の温度で、０．５〜１０時間の範囲である。重合は、連続的に、不連続的に、または半連続的に実行できる。ランダム分布のモノマーを有するポリマー鎖を得ることが好ましい場合、すべてのモノマーが一緒に、反応混液に好ましく加えられる、このことは、一度に、または反応を制御するために経時的に計量して行われてもよい。
【０２１１】
公知であるモノマーの反応性に基づいて、当業者は、所望の分布を得るために、重合を制御できる。
【実施例】
【０２１２】
平均分子量の測定はゲル浸透クロマトグラフによって実行される。
略号の手がかり
ＡＰＴＡＣ−アクリロイルアミノプロピル−Ｎ，Ｎ，Ｎ−トリメチルアンモニウムクロリド
ＥＧＤＳ−エチレングリコールジステアレート
ＤＡＡ−ジアリルアミン
ＡＤＡＡ−アルコキシル化ジアリルアミン−これらのモノマーは、参照により本明細書に組み込まれる米国特許第７，５７９，４２１号および同第５，４７８，８８３号の実施例に従って調製される。
ＮａＥＤＴＡ−エチレンジアミン四酢酸のナトリウム塩
コカミドＭＥＡ−コカミドモノエタノールアミン
ＳＬＳ−ラウリル硫酸ナトリウム
ＳＬＥＳ−Ｘ、Ｘモルのエトキシル化を有するラウレス硫酸ナトリウム
ＥＯ／ＰＯ−エトキシ／プロポキシ基
ＶＡ  ０４４−２，２’−アゾビス［２−（２−イミダゾリン−２−イル）プロパン］ジヒドロクロリド
ｔＢＨＰ−ｔｅｒｔブチル水素ペルオキシド
ＳＭＢＳ−メタビスルフィドナトリウム
ＨＬＢ−親水性−親油性バランス
【０２１３】
両性コンディショニング用ポリマーの合成
実施例１
ＡＰＴＡＣ／ＡＡ／ＤＡＡ  ターポリマーの調製
反応の仕込み（ＲＣ）
７５％  ＡＰＴＡＣ                                ０．７ｇ
９７％  ＤＡＡ                                    ３．５ｇ
９９％  アクリル酸                                ０．１ｇ
１０％  ＮａＥＤＴＡ                              １．０ｇ
脱イオン水                                        １６０ｇ
ＨＣＬ（５％）溶液を使用してｐＨを４．０に調整
モノマーフィード（ＭＦ）
７５％  ＡＰＴＡＣ                                １１４ｇ
９７％  ＤＡＡ                                    ０．６ｇ
９９％  アクリル酸                                  １０ｇ
０．１０％  メチレンビスアクリルアミド              ３０ｇ
ＮａＯＨ溶液を使用してｐＨを４．０に調整
【０２１４】
１リットルのリアクターに窒素がパージされる。ＲＣ仕込みはリアクターに加えられる。反応物質は２１０ｒｐｍで撹拌され、１００℃に加熱される。開始剤（過硫酸アンモニウム、２０ｍｌ水中０．２ｇ）は、残りのモノマーフィード（ＭＦ）を６０分間の時間にわたって加えながら、０．２２ｍｌ／分の速度で導入される。モノマーフィードの添加後、容器は１０ｍＬのＤＩ水ですすがれる。開始剤は同じ速度でフィードされる。開始剤の添加が完了した後、このバッチは１００℃で０．５時間保持される。次いで、メタビスルファイトナトリウム（１重量％水溶液、２．６ｍＬ）が０．５ｍｌ／分の速度で加えられる。次いで、このバッチは、１００℃でさらに０．５時間維持される。得られたポリマーは、ＡＰＴＡＣ／ＡＡ／ＤＡＡのそれぞれの重量比率８６／１０／４を有する。ＭＷ  ２１０  Ｋ。
【０２１５】
形成された両性コンディショニング用ポリマーの最適な中和
リアクターは約６０℃まで冷却される。リアクターからポリマーを排出する前に、脂肪族アミンまたは脂肪族アミンオキシドは、例えば、０．５：２から１：２の間の範囲の重量比率で（脂肪族アミン対コンディショニング用ポリマー）任意に加えられる。この混合物は徹底的に撹拌されて、生成物の均質性および中和を可能にする。中和のために使用される脂肪族アミン、脂肪族アミンオキシド、または脂肪族四級物質は、ドデシルアミン、ドデシルジメチルアミン、ドデシルジメチルアミンオキシド、ミリスチルアミン、ミリスチルジメチルアミン、ミリスチルジメチルアミンオキシド、ステアリルアミン、ステアリルジメチルアミン、ステアリルジメチルアミンオキシド、およびセチルトリメチルアンモニウムクロリドである。中和後、ポリマーは、リアクターから排出される。
【０２１６】
リアクターを約６０℃に冷却する。リアクターからポリマーを排出する前に、ドデシルアミンを、任意に、重量比１：２（脂肪族アミン：コンディショニングポリマー）で加える。混合物を十分に撹拌して生成物を均質にする。中和後、ポリマーをリアクターから排出する。 
【０２１７】
ＡＰＴＡＣ：ＡＡ：ＤＡＡを含有するさらなる実施例２〜８については表１を参照のこと。
【０２１８】
実施例９
ＡＰＴＡＣ／  ＡＡ／  ＤＡＡ−アルコキシル化ターポリマーの調製
リアクター仕込み（ＲＣ）
重量、ｇ
１．６０％  ＡＰＴＡＣ                                  ２
２．ＤＡＡ−ＥＯ／ＰＯ  ９０：１０  重量比率1        ２２．６４
３．アクリル酸                                        ０．２
４．ＮａＥＤＴＡ                                      ０．２
５．クエン酸                                          １ｇ
６．ＨＣｌ（１０％）                              ｐＨ４に調整
７．脱イオン水（ＤＩＷ）                          ２５０＋３０（リンス）
モノマーフィード（ＭＦ）                              重量、ｇ
８．６０％  ＡＰＴＡＣ                              ２９３
９．アクリル酸                                      ２０
１０．ＭＢＡ（０．１重量％）                        ６０（３００ｐｐｍ）
１１．ＤＩ水                                        ４０＋２０（リンス）
１Ｎ  ＮａＯＨを使用してｐＨを４に調整
開始剤フィード（ＩＦ）                                重量、ｇ
１２．ｔＢＨＰ（１重量％）                          ２０ｇ
１３．ＳＭＢＳ  （１重量％）                        ２０ｇ
後処理（ＰＴ）                                        重量、ｇ
１４．ＶＡ  ０４４  （２００ＰＰＭ）                ４０ｍｇ
ＡＰＴＡＣ：ＡＡ：ＤＡＡ−ＥＯ／ＰＯの重量比８０．６：９．１：１０．３のターポリマーが形成される。
１．Ｍｗは、１１００である。
【０２１９】
実施例１０
リアクター仕込み（ＲＣ）                                  重量、ｇ
１５．７５％  ＡＰＴＡＣ                            １．４
１６．ＤＡＡ−ＥＯ／ＰＯ  ８０／２０1              ３０
１７．アクリル酸                                    ０．１
１８．ＮａＥＤＴＡ                                  ０．１
１９．クエン酸                                      ０．５
２０．ＨＣｌ（１０％）                    ｐＨ４に調整
２１．脱イオン水（ＤＩＷ）                        ５０＋２０
モノマーフィード（ＭＦ）                              重量、ｇ
２２．７５％  ＡＰＴＡＣ                            １１７
２３．アクリル酸                                    １０
２４．ＭＢＡ（０．１重量％）                        ３０
２５．ＤＩ水                                      ５０＋１０
１Ｎ  ＮａＯＨを使用してｐＨを４に調整
開始剤フィード（ＩＦ）                                重量、ｇ
２６．ｔＢＨＰ（０．７５重量％）                    ２０ｇ
２７．ＳＭＢＳ（０．７５重量％）                    ２０ｇ
後処理（ＰＴ）                                        重量、ｇ
２８．ＶＡ  ０４４  （２００ＰＰＭ）                ４０ｍｇ
ＡＰＴＡＣ：ＡＡ：ＤＡＡ−ＥＯ／ＰＯの重量比６８．９：７．８：２３．３のターポリマーが形成される。
１．Ｍｗは、３０００である。
【０２２０】
手順
実施例２および３の手順は、実質的に上記の実施例１と同様であるが、開始剤の組み合わせが使用される（ｔ−ＢＨＰおよびＳＭＢＳ）。
【０２２１】
両性ポリマー
種々の両性ポリマーは上記の実施例１と同様に調製されるが、ＡＰＴＡＣ、アクリル酸、およびＤＡＡ、ならびに〜２１０ＫのＭｗを有するすべての比率は、異なる脂肪族アミンを用いる中和とともに変化される。
【０２２２】
【表１】
0005706345.tif 000022
但し、実施例２は本発明の参考例に当たる。
【０２２３】
【表２】
0005706345.tif 000023
但し、実施例１６は本発明の参考例に当たる。
【０２２４】
コンディショニング用ポリマーの個人用洗浄製剤
以下のシャンプーのために、すべての成分は混合され、約７０℃に加熱され、そしてケイ素およびコンディショニング用ターポリマー／脂肪族アミン複合体の分散性を改善するためにホモジナイズされる。冷却の前に、必要な場合、ＮａＣｌおよびクエン酸が加えられて、室温における７０００〜８０００ｃｐｓの間の範囲の粘度について、およびｐＨ５．７について調整される。
【０２２５】
【表３】
0005706345.tif 000024
【０２２６】
【表４】
0005706345.tif 000025
【０２２７】
【表５】
0005706345.tif 000026
【０２２８】
【表６】
0005706345.tif 000027
【０２２９】
【表７】
0005706345.tif 000028
【０２３０】
【表８】
0005706345.tif 000029
【０２３１】
【表９】
0005706345.tif 000030
【０２３２】
【表１０】
0005706345.tif 000031
【０２３３】
アプリケーションデータ
ターポリマーは、それらの毛髪へのシリコーン沈着、ポリマーのコンディショニング効果、およびくし入れエネルギーの減少を測定するために、下記のシャンプー組成物に製剤化される。
【０２３４】
【表１１】
0005706345.tif 000032
【０２３５】
シリコーン沈着
洗浄手順
１０房のバージンブラウンヘアが秤量され、各シャンプーを試験するために処理される。５房が２回シャンプーされ、５房が１０回シャンプーされる、各房は１５％  ＴＥＲＧＩＴＯＬで前洗浄され、徹底的にリンスされ、次いで水で濡らされる。
【０２３６】
１ｇのシャンプーが、各房の長さを下って適用され、泡立たされる。各房は、３５℃で１分間、水道水の流れの中ですすがれる（１分間あたり０．４ガロン）。毛髪は室温条件下で一晩乾燥させられ、そのときにシリコーン抽出の準備ができている。
【０２３７】
毛髪のシリコーン分析
処理した房は、ガラス遠心管の中で、３０ｍｌのトルエン／メチルイソブチルケトン（５０／５０）混液で抽出される。
【０２３８】
シリコーンの定量分析は、グラファイト火炉を装着した原子吸光分析装置（Ｐｅｒｋｉｎ  Ｅｌｍｅｒ  ＡＡｎａｌｙｓｔ  ６００）を使用して実行される。
【０２３９】
毛髪洗浄分析および抽出は３連で実行される。さらに、保管の際のシャンプーの性能の安定性を決定するために、シャンプーの調製の２日後および１４日後に、毛髪洗浄分析および抽出が反復される。
【０２４０】
ポリマーコンディショニング効果
洗浄手順は、９グラムの毛髪の房、８インチ長が２グラムのシャンプーで洗浄されること以外は、上記の洗浄手順と同様に実行される、毛髪の房は、Ｉｎｔｅｒｎａｔｉｏｎａｌ  Ｈａｉｒ  Ｉｍｐｏｒｔｅｒｓからのヨーロッパ人ブラウンである。
【０２４１】
本発明のターポリマー／脂肪族アミン複合体は、手触りの改善およびより少ない「きしみ」を示す。「きしみ」の非存在または低下は、２および１シャンプーにおける重要な利点と見なされている。
【０２４２】
乾燥状態および濡れている状態でのくし入れエネルギー
乾燥状態および濡れている状態でのくし入れエネルギーの減少が、ＤＩＡ−
ＳＴＲＯＮ  ＭＩＮＩＡＴＵＲＥ  ＴＥＮＳＩＬＥ  ＴＥＳＴＥＲ  ＭＴＴＬ７５を使用して測定される。
【０２４３】
濡れた状態でのくし入れエネルギーは、水のビーカー中に処理した房を３回浸漬すること、および指を使って過度の水を絞ることによって決定される。
【０２４４】
乾燥状態でのくし入れエネルギーは、房が測定前に風乾されること以外は、類似して決定される。
【０２４５】
表２
種々のターポリマーを含む適用結果
【０２４６】
【表１２】
0005706345.tif 000033
【０２４７】
【表１３】
0005706345.tif 000034